(57)【特許請求の範囲】
【請求項１】
アクセスポイントによる無線通信のための方法であって、
多数のグループのそれぞれが装置のただ１つのセット又は２つ以上のセットに対応するか否かを示すメッセージを送信することであって、ここで、装置の各セットは、同時の送信を受信するために構成される、送信することと、
前記装置の１つのための空間ストリーム位置を送信することであって、ここで、前記空間ストリーム位置の１つは、前記グループのそれぞれに関連する、送信することと、
前記装置の前記１つのための前記空間ストリーム位置に基づいて前記グループの１つのため前記同時の送信の少なくとも１つを送信することと、
を備える方法。
【請求項２】
前記メッセージは、無線ローカルエリアネットワーク（ＷＬＡＮ）のためビーコンフレームを備える、
請求項１に記載の方法。
【請求項３】
前記空間ストリーム位置を送信することは、前記グループの前記１つを示すグループ識別子及び前記空間ストリーム位置を送信することを備え、ここで、前記グループ識別子は、ｙ個のビットを備え、前記メッセージは、前記多数のグループのそれぞれのための１つのビットと共に２ｙ個のビットを持つビットマップを備える、
請求項１に記載の方法。
【請求項４】
前記ビットマップは、装置の２つ以上のセットに対応する前記多数のグループのそれぞれのため１の値を持ち、前記ビットマップは、装置のただ１つのセットに対応する前記多数のグループのそれぞれのため０の値を持つ、
請求項３に記載の方法。
【請求項５】
前記ビットマップは、使用されない前記多数のグループのそれぞれのため０の値を持つ、
請求項４に記載の方法。
【請求項６】
前記空間ストリーム位置を送信することは、前記グループの前記１つを示すグループ識別子及び前記空間ストリーム位置を送信することを備え、前記メッセージは、前記グループ識別子によって示される前記グループの前記１つが装置のただ１つのセットに対応することから装置の２つ以上のセットに対応することへ変わっていることを示す、
請求項１に記載の方法。
【請求項７】
前記空間ストリーム位置を送信することは、前記グループの前記１つを示すグループ識別子及び前記装置の前記１つのための前記空間ストリーム位置を備えるフレームを送信することを備える、
請求項１に記載の方法。
【請求項８】
前記フレームを送信することは、前記装置の前記１つと関連中に前記フレームを送信することを備える、
請求項７に記載の方法。
【請求項９】
前記フレームを送信することは、前記グループ識別子によって示される前記グループの前記１つが装置の２つ以上のセットに対応することから装置のただ１つのセットに対応することへ変わることに応答して前記フレームを送信することを備える、
請求項７に記載の方法。
【請求項１０】
前記フレームは、装置のただ１つのセットに対応し、前記ただ１つのセットに前記装置の前記１つを含む、前記多数のグループのメンバーのための一部を備え、ここで、前記一部は、前記メンバーのそれぞれのためのグループ情報を備え、ここで、前記グループ情報は、
前記メンバーの１つを示すグループ識別（ＩＤ）値と、
前記装置の前記１つのための空間ストリーム位置であって、ここで、前記空間ストリーム位置は前記グループＩＤ値に対応する、空間ストリーム位置と、
を備える、
請求項７に記載の方法。
【請求項１１】
前記フレームは、前記フレームの前記一部において前記メンバーの数を示すフィールドを備える、
請求項１０に記載の方法。
【請求項１２】
前記フレームは、装置の２つ以上のセットに対応する前記グループの数を示すフィールドを備える、
請求項７に記載の方法。
【請求項１３】
アクセスポイントによる無線通信のための装置であって、
多数のグループのそれぞれが装置のただ１つのセット又は２つ以上のセットに対応するか否かを示すメッセージを送信するためであって、ここで、装置の各セットは、同時の送信を受信するために構成される、送信するためと、
前記装置の１つのための空間ストリーム位置を送信するためであって、ここで、前記空間ストリーム位置の１つは、前記グループのそれぞれに関連する、送信するためと、
前記装置の前記１つのための前記空間ストリーム位置に基づいて前記グループの１つのため前記同時の送信の少なくとも１つを送信するために、
構成される送信器
を備える装置。
【請求項１４】
前記メッセージは、無線ローカルエリアネットワーク（ＷＬＡＮ）のためビーコンフレームを備える、
請求項１３に記載の装置。
【請求項１５】
前記送信器は、前記グループの前記１つを示すグループ識別子及び前記空間ストリーム位置を送信するために構成され、ここで、前記グループ識別子は、ｙ個のビットを備え、前記メッセージは、前記多数のグループのそれぞれのための１つのビットと共に２ｙ個のビットを持つビットマップを備える、
請求項１３に記載の装置。
【請求項１６】
前記ビットマップは、装置の２つ以上のセットに対応する前記多数のグループのそれぞれのため１の値を持ち、前記ビットマップは、装置のただ１つのセットに対応する前記多数のグループのそれぞれのため０の値を持つ、
請求項１５に記載の装置。
【請求項１７】
前記ビットマップは、使用されない前記多数のグループのそれぞれのため０の値を持つ、
請求項１６に記載の装置。
【請求項１８】
前記送信器は、前記グループの前記１つを示すグループ識別子及び前記空間ストリーム位置を送信するために構成され、前記メッセージは、前記グループ識別子によって示される前記グループの前記１つが装置のただ１つにセットに対応することから装置の２つ以上のセットに対応することへ変わっていることを示す、
請求項１３に記載の装置。
【請求項１９】
前記送信器は、
前記グループの前記１つを示すグループ識別子と、
前記装置の前記１つのための前記空間ストリーム位置と、
を備えるフレームを送信するために構成される、
請求項１３に記載の装置。
【請求項２０】
前記送信器は、前記装置の前記１つに関連中に前記フレームを送信するように構成される、
請求項１９に記載の装置。
【請求項２１】
前記送信器は、前記グループ識別子によって示される前記グループの前記１つが装置の２つ以上のセットに対応することから装置のただ１つのセットに対応することへ変わることに応答して前記フレームを送信するように構成される、
請求項１９に記載の装置。
【請求項２２】
前記フレームは、装置のただ１つのセットに対応し、前記ただ１つのセットに前記装置の前記１つを含む、前記多数のグループのメンバーのための一部を備え、ここで、前記一部は、前記メンバーのそれぞれのためのグループ情報を備え、前記グループ情報は、
グループ識別（ＩＤ）値と、
前記装置の前記１つのための空間ストリーム位置であって、ここで、前記ストリーム位置は前記グループＩＤ値に対応する、空間ストリーム位置と、
を備える、
請求項１９に記載の装置。
【請求項２３】
前記フレームは、前記フレームの前記一部において前記メンバーの数を示すフィールドを備える、
請求項２２に記載の装置。
【請求項２４】
前記フレームは、装置の２つ以上のセットに対応する前記グループの数を示すフィールドを備える、
請求項１９に記載の装置。
【請求項２５】
アクセスポイントによる無線通信のための装置であって、
多数のグループのそれぞれが装置のただ１つのセット又は２つ以上のセットに対応するか否かを示すメッセージを送信するための手段であって、ここで、装置の各セットは、同時の送信を受信するために構成される、手段と、
前記装置の１つのための空間ストリーム位置を送信するための手段であって、ここで、前記空間ストリーム位置の１つは、前記グループのそれぞれに関連する、手段と、
前記装置の前記１つのための前記空間ストリーム位置に基づいて前記グループの１つのため前記同時の送信の少なくとも１つを送信するための手段と、
を備える装置。
【請求項２６】
前記メッセージは、無線ローカルエリアネットワーク（ＷＬＡＮ）のためビーコンフレームを備える、
請求項２５に記載の装置。
【請求項２７】
前記空間ストリーム位置を送信するための前記手段は、前記グループの前記１つを示すグループ識別子及び前記空間ストリーム位置を送信するために構成され、ここで、前記グループ識別子は、ｙ個のビットを備え、前記メッセージは、前記多数のグループのそれぞれのための１つのビットと共に２ｙ個のビットを持つビットマップを備える、
請求項２５に記載の装置。
【請求項２８】
前記ビットマップは、装置の２つ以上のセットに対応する前記多数のグループのそれぞれのため１の値を持ち、前記ビットマップは、装置のただ１つのセットに対応する前記多数のグループのそれぞれのため０の値を持つ、
請求項２７に記載の装置。
【請求項２９】
前記ビットマップは、使用されない前記複数のグループのそれぞれのため０の値を持つ、
請求項２８に記載の装置。
【請求項３０】
前記空間ストリーム位置を送信するための前記手段は、前記グループの前記１つを示すグループ識別子及び前記空間ストリーム位置を送信するために構成され、前記メッセージは、前記グループ識別子によって示される前記グループの前記１つが装置のただ１つのセットに対応することから装置の２つ以上のセットに対応することへ変わっていることを示す、
請求項２５に記載の装置。
【請求項３１】
前記空間ストリーム位置を送信するための前記手段は、前記グループの前記１つを示すグループ識別子及び前記装置の前記１つのための前記空間ストリーム位置を備えるフレームを送信するために構成される、
請求項２５に記載の装置。
【請求項３２】
前記フレームを送信するための前記手段は、前記装置の前記１つに関連中に前記フレームを送信するように構成される、
請求項３１に記載の装置。
【請求項３３】
前記フレームを送信するための前記手段は、前記グループ識別子によって示される前記グループの前記１つが装置の２つ以上のセットに対応することから装置のただ１つに対応することへ変わることに応答して前記フレームを送信するために構成される、
請求項３１に記載の装置。
【請求項３４】
前記フレームは、装置のただ１つのセットに対応し、前記ただ１つのセットに前記装置の前記１つを含む、前記多数のグループのメンバーのための一部を備え、前記一部は、前記メンバーのそれぞれのためのグループ情報を備え、前記グループ情報は、
前記メンバーの１つを示すグループ識別（ＩＤ）値と、
前記装置の前記１つのための空間ストリーム位置であって、ここで前記空間ストリーム位置は、前記グループＩＤ値に対応する、空間ストリーム位置と、を備える、
請求項３１に記載の装置。
【請求項３５】
前記フレームは、前記フレームの前記一部において前記メンバーの数を示すフィールドを備える、
請求項３４に記載の装置。
【請求項３６】
前記フレームは、装置の２つ以上のセットに対応する前記グループの数を示すフィールドを備える、
請求項３１に記載の装置。
【請求項３７】
アクセスポイントによる無線通信のためのコンピュータ可読記憶媒体において、
多数のグループのそれぞれが装置のただ１つのセット又は２つ以上のセットに対応するか否かを示すメッセージを送信するためであって、ここで、装置の各セットは、同時の送信を受信するために構成される、送信するためと、
前記装置の１つのための空間ストリーム位置を送信するためであって、ここで、前記空間ストリーム位置の１つは、前記グループのそれぞれに関連する、送信するためと、
前記装置の前記１つのための前記空間ストリーム位置に基づいて前記クループの１つのため前記同時の送信の少なくとも１つを送信するために、
実行可能な命令を備える、コンピュータ可読記憶媒体。
【請求項３８】
無線通信のためのアクセスポイントであって、
少なくとも１つのアンテナと、
多数のグループのそれぞれが装置のただ１つのセット又は２つ以上のセットに対応するか否かを示すメッセージを、前記少なくとも１つのアンテナを通じて、送信するためであって、ここで、装置の各セットは、同時の送信を受信するために構成される、送信するためと、
前記装置の１つのための空間ストリーム位置を、前記少なくとも１つのアンテナを通じて、送信するためであって、ここで、前記空間ストリーム位置の１つは、前記グループのそれぞれに関連する、送信するためと、
前記装置の前記１つのための前記空間ストリーム位置に基づいて前記グループの１つのため前記同時の送信の少なくとも１つを、前記少なくとも１つのアンテナを通じて、送信するために、
構成される送信器と、
を備えるアクセスポイント。
【請求項３９】
無線ノードによる無線通信のための方法であって、
グループが装置のただ１つのセット又は２つ以上のセットに対応するか否かを示すメッセージを、装置で、受信することであって、ここで、装置の各セットは、同時の送信を受信するために構成される、受信することと、
グループ識別子と、前記グループ識別子によって示される前記グループにおける前記装置のための空間ストリーム位置とを、前記装置で、受信することと、
前記受信される同時の送信を分析するために前記空間ストリーム位置を使用することと、
を備える方法。
【請求項４０】
前記メッセージは、無線ローカルエリアネットワーク（ＷＬＡＮ）のためビーコンフレームを備える、
請求項３９に記載の方法。
【請求項４１】
前記グループ識別子は、ｙ個のビットを備え、前記メッセージは、装置のただ１つのセット又は２つ以上のセットに対応する複数のグループのそれぞれのための１つのビットと共に２ｙ個のビットを持つビットマップを備える、
請求項３９に記載の方法。
【請求項４２】
前記ビットマップは、装置の２つ以上のセットに対応する前記複数のグループのそれぞれのため１の値を持ち、前記ビットマップは、装置のただ１つのセットに対応する前記複数のグループのそれぞれのため０の値を持つ、
請求項４１に記載の方法。
【請求項４３】
前記ビットマップは、使用されない前記複数のグループのそれぞれのため０の値を持つ、
請求項４２に記載の方法。
【請求項４４】
前記メッセージは、前記グループ識別子によって示される前記グループが装置のただ１つのセットに対応することから装置の２つ以上のセットに対応することへ変わっていることを示す、
請求項３９に記載の方法。
【請求項４５】
前記グループ識別子及び前記空間ストリーム位置を受信することは、前記グループ識別子及び前記装置のための空間ストリーム位置を備えるフレームを受信することを備え、ここで、１つの空間ストリーム位置は、前記グループ識別子によって示される前記グループを含む複数のグループのそれぞれにおけるものである、
請求項３９に記載の方法。
【請求項４６】
前記フレームを受信することは、前記装置に関連中に前記フレームを受信することを備える、
請求項４５に記載の方法。
【請求項４７】
前記フレームを受信することは、前記グループ識別子によって示される前記グループが装置の２つ以上のセットに対応することから装置のただ１つのセットに対応することへ変わることに応答して前記フレームを受信することを備える、
請求項４５に記載の方法。
【請求項４８】
前記フレームは、装置のただ１つのセットに対応し、前記ただ１つのセットに前記装置を含む、前記複数のグループのメンバーのための部分を備え、ここで、前記部分は、前記メンバーのそれぞれのためのグループ情報を備え、前記グループ情報は、
グループ識別（ＩＤ）値と、
前記装置のための空間ストリーム位置であって、ここで、前記空間ストリーム位置は、前記グループＩＤ値に対応する、空間ストリーム位置と、
を備える、
請求項４５に記載の方法。
【請求項４９】
前記フレームは、前記フレームの前記部分において前記メンバーの数を示すフィールドを備える、
請求項４８に記載の方法。
【請求項５０】
前記フレームは、装置の２つ以上のセットに対応する前記グループの数を示すフィールドを備える、
請求項４５に記載の方法。
【請求項５１】
無線ノードによる無線通信のための装置であって、
グループが装置のただ１つのセット又は２つ以上のセットに対応するか否かを示すメッセージを受信するためであって、ここで、装置のセットは、同時の送信を受信するために構成される、受信するためと、
グループ識別子と、前記グループ識別子によって示される前記グループにおける前記装置のための空間ストリーム位置と、を受信するために、
構成される受信機と、
前記受信される同時の送信を分析するために前記空間ストリーム位置を使用するために構成される処理システムと
を備える装置。
【請求項５２】
前記メッセージは、無線ローカルエリアネットワーク（ＷＬＡＮ）のためビーコンフレームを備える、
請求項５１に記載の装置。
【請求項５３】
前記グループ識別子は、ｙ個のビットを備え、前記メッセージは、装置のただ１つのセット又は２つ以上のセットに対応する複数のグループのそれぞれのための１つのビットと共に２ｙ個のビットを持つビットマップを備える、
請求項５１に記載の装置。
【請求項５４】
前記ビットマップは、装置の２つ以上のセットに対応する前記複数のグループのそれぞれのため１の値を持ち、前記ビットマップは、装置のただ１つのセットに対応する前記複数のグループのそれぞれのため０の値を持つ、
請求項５３に記載の装置。
【請求項５５】
前記ビットマップは、使用されない前記複数のグループのそれぞれのため０の値を持つ、
請求項５４に記載の装置。
【請求項５６】
前記メッセージは、前記グループ識別子によって示される前記グループが装置のただ１つのセットに対応することから装置の２つ以上のセットに対応することへ変わっていることを示す、
請求項５１に記載の装置。
【請求項５７】
前記受信機は、前記グループ識別子及び前記装置のための空間ストリーム位置を備えるフレームを受信するために構成され、ここで、１つの空間ストリーム位置は、前記グループ識別子によって示される前記グループを含む複数のグループのそれぞれにおけるものである、
請求項５１に記載の装置。
【請求項５８】
前記受信機は、前記装置に関連中に前記フレームを受信するために構成される、
請求項５７に記載の装置。
【請求項５９】
前記受信機は、前記グループ識別子によって示される前記グループが装置の２つ以上のセットに対応することから装置のただ１つのセットに対応することへ変わることに応答して前記フレームを受信するために構成される、
請求項５７に記載の装置。
【請求項６０】
前記フレームは、装置のただ１つのセットに対応し、前記ただ１つのセットに前記装置を含む、前記複数のグループのメンバーのための部分を備え、ここで、前記部分は、前記メンバーのそれぞれのためのグループ情報を備え、前記グループ情報は、
グループ識別（ＩＤ）値と、
前記装置のための空間ストリーム位置であって、ここで、前記空間ストリーム位置は、前記グループＩＤ値に対応する、空間ストリーム位置と、
を備える、
請求項５７に記載の装置。
【請求項６１】
前記フレームは、前記フレームの前記部分において前記メンバーの数を示すフィールドを備える、
請求項６０に記載の方法。
【請求項６２】
前記フレームは、装置の２つ以上のセットに対応する前記グループの数を示すフィールドを備える、
請求項５７に記載の装置。
【請求項６３】
無線ノードによる無線通信のための装置であって、
グループが装置のただ１つのセット又は２つ以上のセットに対応するか否かを示すメッセージを受信するための手段であって、ここで、装置の各セットは、同時の送信を受信するために構成され、受信するための前記手段は、グループ識別子及び前記グループ識別子によって示される前記グループにおける前記装置のための空間ストリーム位置を受信するために構成される、手段と、
前記受信される同時の送信を分析するために前記空間ストリーム位置を使用するための手段と、
を備える装置。
【請求項６４】
前記メッセージは、無線ローカルエリアネットワーク（ＷＬＡＮ）のためビーコンフレームを備える、
請求項６３に記載の装置。
【請求項６５】
前記グループ識別子は、ｙ個のビットを備え、前記メッセージは、装置のただ１つのセット又は２つ以上のセットに対応する複数のグループのそれぞれのための１つのビットと共に２ｙ個のビットを持つビットマップを備える、
請求項６３に記載の装置。
【請求項６６】
前記ビットマップは、装置の２つ以上のセットに対応する前記複数のグループのそれぞれのため１の値を持ち、前記ビットマップは、装置のただ１つのセットに対応する前記複数のグループのそれぞれのため０の値を持つ、
請求項６５に記載の装置。
【請求項６７】
前記ビットマップは、使用されない前記複数のグループのそれぞれのため０の値を持つ、
請求項６６に記載の装置。
【請求項６８】
前記メッセージは、前記グループ識別子によって示される前記グループが装置のただ１つのセットに対応することから装置の２つ以上のセットに対応することへ変わっていることを示す、
請求項６３に記載の装置。
【請求項６９】
前記グループ識別子及び前記空間ストリーム位置を受信するための前記手段は、前記グループ識別子及び前記装置のための空間ストリーム位置を備えるフレームを受信するために構成され、ここで、１つの空間ストリーム位置は、前記グループ識別子によって示される前記グループを含む複数のグループのそれぞれにおけるものである、
請求項６３に記載の装置。
【請求項７０】
受信するための前記手段は、前記装置に関連中に前記フレームを受信するために構成される、
請求項６９に記載の装置。
【請求項７１】
受信するための前記手段は、前記グループ識別子によって示される前記グループが装置の２つ以上のセットに対応することから装置のただ１つのセットに対応することへ変わることに応答して前記フレームを受信するために構成される、
請求項６９に記載の装置。
【請求項７２】
前記フレームは、装置のただ１つのセットに対応し、前記ただ１つのセットに前記装置を含む、前記複数のグループのメンバーのための部分を備え、ここで、前記部分は、前記メンバーのそれぞれのためのグループ情報を備え、前記グループ情報は、
グループ識別（ＩＤ）値と、
前記装置のための空間ストリーム位置であって、ここで、前記空間ストリーム位置は、前記グループＩＤ値に対応する、空間ストリーム位置と、
を備える、
請求項６９に記載の装置。
【請求項７３】
前記フレームは、前記フレームの前記部分において前記メンバーの数を示すフィールドを備える、
請求項７２に記載の装置。
【請求項７４】
前記フレームは、装置の２つ以上のセットに対応する前記グループの数を示すフィールドを備える、
請求項６９に記載の装置。
【請求項７５】
無線ノードによる無線通信のためのコンピュータ可読記憶媒体であって、
グループが装置のただ１つのセット又は２つ以上のセットに対応するか否かを示すメッセージを、装置で、受信するためであって、ここで、装置の各セットは、同時の送信を受信するために構成される、受信するためと、
グループ識別子及び前記グループ識別子によって示される前記グループにおける前記装置のための空間ストリーム位置を、前記装置で、受信するためと、
前記受信される同時の送信を分析するために前記空間ストリーム位置を使用するために、
実行可能な命令を備える、コンピュータ可読記憶媒体。
【請求項７６】
無線通信のための無線ノードであって、
少なくとも１つのアンテナと、
グループが無線ノードのただ１つのセット又は２つ以上のセットに対応するか否かを示すメッセージを、前記少なくとも１つのアンテナを通じて、前記無線ノードで、受信するためであって、ここで、無線ノードの各セットは、同時の送信を受信するために構成される、受信するためと、
グループ識別子及び前記グループ識別子によって示される前記グループにおける前記無線ノードのための空間ストリーム位置を受信するために、
構成される受信機と、
前記受信される同時の送信を分析するために前記空間ストリーム位置を使用するために構成される処理システムと、
を備える、無線通信のための無線ノード。
【発明の詳細な説明】
【技術分野】
【０００１】
関連出願の相互参照
この出願は、２０１０年５月１６日に提出される米国仮特許出願第６１／３４５，１４０号（Atty. Dkt. No. 101963P1）、２０１０年７月２１日に提出される米国仮特許出願第６１／３６６，４９３号（Atty. Dkt. No. 102450P1）、２０１０年８月１１日に提出される米国仮特許出願第６１／３７２，７８３号（Atty. Dkt. No. 102450P2）、及び２０１０年９月１４日に提出される米国仮特許出願第６１／３８２，８５９号（Atty. Dkt. No. 102450P3）の利益を主張し、ここでそれらのすべては、参照によって本文中に組み込まれる。
【０００２】
本開示のある態様は、一般的に無線通信に、より具体的には、ダウンリング多数利用者多入力多出力（ＭＵ−ＭＩＭＯ）スキームにおいて同時のダウンリング送信を受信する局（ＳＴＡ）のグループの少なくともいくつかのためのオーバーロードを持つグループＩＤを効果的に管理することに関連する。
【背景技術】
【０００３】
無線通信システムのために要求される帯域幅要求量を上昇させる問題に取り組むため、異なるスキームは、多数の利用者端末に、高データスループットの間にチャンネルリソースを供給することによって単一のアクセスポイントと通信することを可能にするため開発されている。多入力多出力（ＭＩＭＯ）技術は、次世代通信システムのための一般的な技術として現在出現している１つのそのようなアプローチを表現する。ＭＩＭＯ技術は、米国電気電子学会（the Institute of Electrical and Electronics Engineers）（ＩＥＥＥ）８０２．１１標準のようないくつかの発展中の無線通信標準において採用されている。ＩＥＥＥ８０２．１１は、ショートレンジ通信（たとえば、１０メールから数百メートル）のためにＩＥＥＥ８０２．１１委員会によって開発される無線ローカルエリアネットワーク（ＷＬＡＮ）エアインターフェイス標準のセットを示す。
【０００４】
ＭＩＭＯシステムは、データ送信のための多数の（ＮＴ個の）送信アンテナ及び多数の（ＮＲ個の）受信アンテナを使う。ＮＴ個の送信アンテナ及びＮＲ個の受信アンテナによって形成されるＭＩＭＯチャンネルは、ＮＳ個の独立チャンネルへ分解され得、ここでそれらは空間チャンネルとも呼ばれ、ここでＮＳ≦ｍｉｎ｛ＮＴ，ＮＲ｝である。ＮＳ個の独立チャンネルのそれぞれは、次元に対応する。多数の送信及び受信アンテナによって作られる追加の次元が利用される場合、ＭＩＭＯシステムは、改善される性能（たとえば、より高いスループット及び／又はより大きな信頼性）を供給することができる。
【０００５】
単一のアクセスポイント（ＡＰ）及び多数の利用者局（ＳＴＡ）を持つ無線ネットワークにおいて、同時の送信は、アップリンク及びダウンリンク方向の両者において、異なる局へ向かって多数のチャンネル上で生じ得る。多くの難題は、そのようなシステムにおいて存在する。
【発明の概要】
【０００６】
本開示のある態様は、アクセスポイント（ＡＰ）が多数の基地局（ＳＴＡ）へデータを送信しなければならない無線ローカルエリアネットワーク（ＷＬＡＮ）へ一般的に適用する。ダウンリンク空間分割多元接続（Downlink Spatial Division Multiple Access）（ＤＬ−ＳＤＭＡ）技術を使用することによって、ＡＰは、多数のＳＴＡに向かって同一の時間にデータを送信し得る。本開示のある態様は、ダウンリンク多数利用者多入力多出力（ＭＵ−ＭＩＭＯ）スキームにおいて同時のダウンリンク送信を受信するＳＴＡ（又は他の装置）のグループの少なくともいくつかのためのオーバーロードを持つグループＩＤを効果的に管理することに一般的に関連する。
【０００７】
本開示のある態様は、無線通信のための方法を供給する。方法は、多数のグループのそれぞれが装置のただ１つ又は２つ以上のセットに対応するかどうか示すメッセージを送信することであって、ここで装置の各セットは、同時の送信を受信するために構成される、送信することと、装置の１つのため空間ストリーム位置を送信することであって、ここで空間ストリーム位置の１つはグルーブのそれぞれに関連する、送信することと、装置の１つのための空間ストリーム位置に基づいてグループの１つのため同時の送信の少なくとも１つを送信することとを一般的に含む。
【０００８】
本開示のある態様は、無線通信のための装置を供給する。装置は、多数のグループのそれぞれが装置のただ１つ又は２つ以上のセットに対応するかどうか示すメッセージを送信するためであって、ここで装置の各セットは、同時の送信を受信するために構成される、送信するためと、装置の１つのため空間ストリーム位置を送信するためであって、ここで空間ストリーム位置の１つはグルーブのそれぞれに関連する、送信するためと、装置の１つのための空間ストリーム位置に基づいてグループの１つのため同時の送信の少なくとも１つを送信するために構成される送信器を一般的に含む。
【０００９】
本開示のある態様は、無線通信のための装置を供給する。装置は、多数のグループのそれぞれが装置のただ１つ又は２つ以上のセットに対応するかどうか示すメッセージを送信するための手段であって、ここで装置の各セットは、同時の送信を受信するために構成される、手段と、装置の１つのため空間ストリーム位置を送信するための手段であって、ここで空間ストリーム位置の１つはグルーブのそれぞれに関連する、手段と、装置の１つのための空間ストリーム位置に基づいてグループの１つのため同時の送信の少なくとも１つを送信するための手段とを一般的に含む。
【００１０】
本開示のある態様は、無線通信のためのコンピュータプログラム製品を供給する。コンピュータプログラム製品は、多数のグループのそれぞれが装置のただ１つ又は２つ以上のセットに対応するかどうか示すメッセージを送信することであって、ここで装置の各セットは、同時の送信を受信するために構成される、送信することと、装置の１つのため空間ストリーム位置を送信することであって、ここで空間ストリーム位置の１つはグルーブのそれぞれに関連する、送信することと、装置の１つのための空間ストリーム位置に基づいてグループの１つのため同時の送信の少なくとも１つを送信することを実行可能にする命令を備えるコンピュータ可読媒体を一般的に含む。
【００１１】
本開示のある態様は、アクセスポイントを供給する。アクセスポイントは、少なくとも１つのアンテナ、多数のグループのそれぞれが装置のただ１つ又は２つ以上のセットに対応するかどうか示すメッセージを、少なくとも１つのアンテナを通じて、送信するためであって、ここで装置の各セットは、同時の送信を受信するために構成される、送信するためと、装置の１つのため空間ストリーム位置を、少なくとも１つのアンテナを通じて、送信するためであって、ここで空間ストリーム位置の１つはグルーブのそれぞれに関連する、送信するためと、装置の１つのための空間ストリーム位置に基づいてグループの１つのため同時の送信の少なくとも１つを、少なくとも１つのアンテナを通じて、送信するために構成される送信器を一般的に含む。
【００１２】
本開示のある態様は、無線通信のための方法を供給する。方法は、グループが装置のただ１つ又は２つ以上のセットに対応するかどうか示すメッセージを、装置で、受信することであって、ここで装置の各セットは、同時の送信を受信するために構成される、受信することと、グループ識別子によって示されるグループにおいて装置のためグループ識別子及び空間ストリーム位置を、装置で受信することと、受信される同時の送信を分析するため空間ストリーム位置を使用することとを一般的に含む。
【００１３】
本開示のある態様は、無線通信のための装置を供給する。装置は、グループが装置のただ１つ又は２つ以上のセットに対応するかどうか示すメッセージを受信するために構成される受信機であって、ここで装置の各セットは、同時の送信を受信するために構成され、ここで受信機は、グループ識別子によって示されるグループにおいて装置のためグループ識別子及び空間ストリーム位置を受信するために構成される、受信機と、受信される同時の送信を分析するため空間ストリーム位置を使用するために構成される処理システムとを一般的に含む。
【００１４】
本開示のある態様は、無線通信のための装置を供給する。装置は、グループが装置のただ１つ又は２つ以上のセットに対応するかどうか示すメッセージを受信するため手段あって、ここで装置の各セットは、同時の送信を受信するために構成され、ここで手段は、グループ識別子によって示されるグループにおいて装置のためグループ識別子及び空間ストリーム位置を受信するために構成される手段と、受信される同時の送信を分析するため空間ストリーム位置を使用するための手段を一般的に含む。
【００１５】
本開示のある態様は、無線通信のためのコンピュータプログラム製品を供給する。コンピュータプログラム製品は、グループが装置のただ１つ又は２つ以上のセットに対応するかどうか示すメッセージを、装置で、受信することであって、ここで装置の各セットは、同時の送信を受信するために構成される、受信することと、グループ識別子によって示されるグループにおいて装置のためグループ識別子及び空間ストリーム位置を、装置で受信することと、受信される同時の送信を分析するため空間ストリーム位置を使用することとを可能にする命令を備えるコンピュータ可読媒体を一般的に含む。
【００１６】
本開示のある態様は、無線ノートを供給する。無線ノードは、少なくとも１つのアンテナ、グループが無線ノードのただ１つ又は２つ以上のセットに対応するかどうかを示すメッセージを、無線ノードで少なくとも１つのアンテナを通じて、受信するためであって、ここで無線ノードの各セットは、同時の送信を受信するために構成され、ここで受信機は、グループ識別子によって示されるグループにおいて無線ノードのためグループ識別子及び空間ストリーム位置を受信するために構成される、受信機と、受信される同時の送信を分析するため空間ストリーム位置を使用するために構成される処理システムを一般的に含む。
【図面の簡単な説明】
【００１７】
本開示の上に列挙される特徴が詳細に理解されることができる方法、より具体的な記述、簡潔な要約される上記は、態様へ参照によって置かれ得るので、それらのいくつかは添付される図において示される。しかしながら、記述が他の同等の効果的な態様を認めるので、添付される図がこの開示のただある典型的な態様を示し、それゆれその範囲の限界を考察されないことに注意する。
【図１】図１は、本開示のある態様に従った無線通信ネットワークの図を示す。
【図２】図２は、本開示のある態様に従った例示のアクセスポイント及び利用者端末のブロック図を示す。
【図３】図３は、本開示のある態様に従った例示の無線機器のブロック図を示す。
【図４】図４は、本開示のある態様に従ったアクセスポイントから送信されるプリアンブルの例示の構造を示す。
【図５】図５は、本開示のある態様に従って、同時の送信を受信する装置のグループのすくなくともいくつかのためのオーバーロードを持つグループＩＤを効果的に管理するためアクセスポイント（ＡＰ）で実行され得る例示の動作を示す。
【図５Ａ】図５Ａは、図５において示される動作を実行することができる例示の手段を示す。
【図６】図６は、本開示のある態様に従ったアクセスポイントから送信される例示のユニキャストグループＩＤ割り当てフレームを示す。
【図７】図７は、本開示のある態様に従って、同時の送信を受信する装置のグループの少なくともいくつかのためのオーバーロードを持つグループＩＤを解釈ため利用者端末で実行され得る例示の動作を示す。
【図７Ａ】図７Ａは、図７において示される動作を実行することができる例示の手段を示す。
【図８】図８は、本開示のある態様に従って、同時の送信を受信する装置のグループのためグループＩＤを効果的に管理するためＡＰで実行され得る例示の動作を示す。
【図８Ａ】図８Ａは、図８において示される動作を実行するための例示の手段を示す。
【図９】図９は、本開示のある態様に従って、完全にオーバーロードされ及び部分的にオーバーロードされるグループのためＡＰから送信される例示のユニキャストグループＩＤ割り当てフレームを示す。
【図１０】図１０は、本開示のある態様に従って、グループの一部のため初期状態の空間ストリーム位置を使用する同時に送信される空間ストリームを受信する機器のグループを効果的に管理するためＡＰで実行され得る例示の動作を示す。
【図１０Ａ】図１０Ａは、図１０において示される動作を実行するための例示の手段を示す。
【図１１】図１１は、本開示のある態様に従って、ＡＰから、３２個のグループのそれぞれにおいて利用者端末のため初期状態の空間ストリーム位置を持つ特定の利用者端末へ送信されるユニキャストメッセージの例示のコンテンツを示す。
【図１２】図１２は、本開示のある態様に従って、装置のグループの一部のため初期状態の空間ストリーム位置を使用する同時に送信される受信される空間ストリームを分析するため利用者端末で実行され得る例示の動作を示す。
【図１２Ａ】図１２Ａは、図１２において示される動作を実行するための例示の手段を示す。
【図１３】図１３は、本開示のある態様に従って、装置が受信することを予期するトラフィックの量に基づいて、同時に送信される空間ストリームを受信する装置のグループを効果的に管理するためＡＰで実行され得る例示の動作を示す。
【図１３Ａ】図１３Ａは、図１３において示される動作を実行するための例示の手段を示す。
【図１４】図１４は、本開示のある態様に従って、ＡＰから、各パワーセーブグループにおいて利用者端末のための空間ストリーム位置を持つ特定の利用者端末へ送信されるユニキャストメッセージの例示のコンテンツを示す。
【図１５】図１５は、本開示のある態様に従って、グループのそれぞれのためのメンバーシップ状態及び空間ストリーム位置を少なくとも１つの装置のために使用する、同時に送信される空間ストリームを受信する装置のグループを効果的に管理するためＡＰで実行され得る例示の動作を示す。
【図１５Ａ】図１５Ａは、図１５において示される動作を実行することができる例示の手段を示す。
【図１６】図１６は、本開示のある態様に従って、ＡＰから、各グループのためのメンバーシップ状態及び空間ストリーム位置を持つ特定の利用者端末へ送信される例示のユニキャストグループＩＤ割り当てフレームを示す。
【図１７】図１７は、本開示のある態様に従って、装置のグループのため空間ストリーム位置を使用する同時に送信され受信される空間ストリームを分析するため利用者端末で実行され得る例示の動作を示す。
【図１７Ａ】図１７Ａは、図１７において示される動作を実行することができる例示の手段を示す。
【詳細な説明】
【００１８】
開示の様々な態様は、添付される図に関連して以下により完全に記述される。しかしながら、この開示は、多くの異なる形式において具体化され、この開示を通じて表現されるあらゆる特定の構造又は機能に限定して解釈されるべきではない。むしろ、この開示が完璧で完全であろうから、これらの態様は、供給され、当業者に開示の範囲を完全に伝えるであろう。本文中の教示に基づいて、当業者は、開示の範囲が本文中に開示される開示のあらゆる態様をカバーすることを意図し、開示のあらゆる他の態様と独立に実施され又は組み合わされるか否かを認識するべきである。たとえば、本文中に列挙される態様をいくらでも使用して装置は実施され得、又は、方法は実行され得る。加えて、開示の範囲は、本文中に列挙される開示の様々な態様に追加して又は以外の他の構造、機能性、又は構造及び機能性を使用して実行されるその様な構造又は方法をカバーすることを意図する。本文中に開示される開示のあらゆる範囲は、請求項の１つ又は２つ以上の要素によって具体化され得ることは理解されるべきである。
【００１９】
「典型的な」という単語は、「例（example）、事例（instance）又は実例（illustration）として役立つ」ことを意味するために本文中で使用される。「典型的な」として本文中に記述されるあらゆる態様は、他の態様よりも好ましい又は利点があるとして解釈される必要はない。
【００２０】
特定の態様が本文中に開示されるが、これらの態様の多くのバリエーション及び交換は、開示の範囲内になる。より好ましい態様のいくつかの利益及び利点は述べられるが、開示の範囲は、特定の利益、使用又は目的に限定されることを意図するものではない。むしろ、開示の態様は、異なる無線技術、システム構成、ネットワーク、及び送信プロトコルに幅広く適用可能であることを意図し、それらのいくつかは、より好ましい態様の図における及び次の記述における例示を手段として示される。詳細な記述及び図は、添付の請求項及びそれらと同等物によって定義される開示の範囲に限定するよりも単に開示の説明である。
【００２１】
例示の無線通信システム
本群中に記述される技術は、直交多重スキームに基づく通信システムを含む、様々なブロードバンド無線通信システムのために使用され得る。そのような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどを含む。ＳＤＭＡシステムは、多数の利用者端末に所属するデータを同時に送信するため十分に異なる方向を利用し得る。ＴＤＭＡシステムは、異なる時間スロットへ送信信号を分割することによって多数の利用者端末に絵同一の周波数チャンネルを供給することを可能にし得、ここで、各時間スロットは、異なる利用者端末へ割り当てられる。ＯＦＤＭＡシステムは、直交周波数分割複信（ＯＦＤＭ）を利用し、ここで、それは、多数の直交サブキャリアにおいて全てのシステム帯域幅を区分する変調技術である。これらのサブキャリアはまた、トーン、ビンなどと呼ばれ得もする。ＯＦＤＭによって、各サブキャリアは、データと共に同区立して変調され得る。ＳＣ−ＦＤＭＡシステムは、システム帯域幅、隣接したサブキャリアのブロック上で送信するための局部的なＦＤＭＡ（ＬＦＤＭＡ）、又は隣接した多数のサブキャリア上で送信するための促進ＦＤＭＡ（ＥＦＤＭＡ）を通じて分配されるサブキャリア上で送信するためインターリーブされるＦＤＭＡ（ＩＦＤＭＡ）を利用し得る。
【００２２】
本文中の教示は、有線又は無線装置（たとえば、ノード）の多様性へ組み込まれ（たとえば、多様性内で実施され又は多様性によって実行され）得る。いくつかの態様において、本文中の教示に従って実施される無線ノードは、アクセスポイント又はアクセス端末を備え得る。
【００２３】
アクセスポイント（「ＡＰ」）は、ノードＢ、無線ネットワークコントローラ（「ＲＮＣ」）、イーノードＢ、基地局コントローラ（「ＢＳＣ」）、ベーストランシーバ局（「ＢＴＳ」）、基地局（「ＢＳ」）、トランシーバファンクション（「ＴＦ」）、無線ルータ、無線トランシーバ、ベースサービスセット（「ＢＳＳ」）、拡張サービスセット（「ＥＳＳ」）、無線基地局（「ＲＢＳ」）又はいくつかの他の技術を備え、として実施され、として知ら得る。
【００２４】
アクセス端末（「ＡＴ」）は、アクセス端末、加入者局、加入者ユニット、モバイル局、リモート局、リモート端末、利用者端末、利用者エージェント、利用者機器、利用者設備、利用者局又はいくつかの他の技術を備え、として実施され、又はとして知られ得る。いくつかの実施例において、アクセス端末は、携帯電話、コードレス電話、セッション確立プロトコル（「ＳＩＰ」）フォン、無線ローカルループ（「ＷＬＬ」）局、携帯情報端末（「ＰＤＡ」）、無線接続能力を持つハンドヘルド機器、局（「ＳＴＡ」）又は無線モデムへ接続されるいくつかの他の適切な処理機器を備え得る。したがって、本文中に教示される１つ又は２つ以上の態様は、電話（たとえば、携帯電間又はスマートフォン）、コンピュータ（たとえば、ラップトップ）、ポータブル通信機器、ポータブルコンピューティング機器（たとえば、パーソナルデータアシスタント）、エンターテイメント機器（たとえば、音楽若しくはビデオ機器、又はサテライト無線）、グローバル位置システム機器、又は無線若しくは有線モデムを通じて通信するために構成されるあらゆる他の適切な機器へ組み込まれ得る。いくつかの態様において、ノードは、無線ノードである。たとえば、その様な無線ノードは、有線又は無線通信リンクを通じてネットワーク（たとえば、インターネット又はセルラネットワークのような広域ネットワーク）のための又はネットワークへの接続性を供給し得る。
【００２５】
図１は、アクセスポイント及び利用者端末を持つ多重アクセス多入力多出力（ＭＩＭＯ）システム１００を示す。簡略化のため、ただ１つのアクセスポイント１１０は、図１において示される。アクセスポイントは、一般的に、利用者端末と通信する固定局であり、また基地局若しくはいくつかのあの技術と呼ばれ得もする。利用者端末は、固体又は移動体であり得、またモバイル局、無線機器若しくはいくつかの他の技術と呼ばれ得もする。アクセスポイント１１０は、ダウンリンク及びアップリンク上であらゆる与えられる瞬間に１つ又は２つ以上の利用者端末１２０と通信し得る。ダウンリンク（即ち、順リンク）は、アクセスポイントから利用者端末への通信リンクであり、アップリンク（即ち、逆リンク）は、利用者端末からアクセスポイントへの通信リンクである。利用者端末はまた、他の利用者端末とピアツーピア通信し得もする。システムコントローラ１３０は、アクセスポイントへ接続し、アクセスポイントのため連携を供給し制御する。
【００２６】
次の開示の一部は、ある態様のため、空間分割多元接続（ＳＤＭＡ）を通じて通信することが可能である利用者端末１２０を記述するだろうが、利用者端末１２０はまた、ＳＤＭＡをサポートしていないいくつかの利用者端末を含み得もする。したがって、いくつかの態様のため、ＡＰ１１０は、ＳＤＭＡ及びノンＳＤＭＡ利用者端末の両者を通信するために構成され得る。より新しいＳＤＭＡ利用者端末を適切であるとみなされるように導入されることを可能にするが、このアプローチは、利用者端末のより古いバージョン（「レガシー」局）を企業において展開されるままでいることを都合よく可能にし、それらの有益な寿命を広げる。
【００２７】
システム１００は、ダウンリンク及びアップリンク上でデータ送信のための多数の送信及び多数の受信アンテナを使う。アクセスポイント１１０は、Ｎａｐ個のアンテナを備えられ、ダウンリンク送信のための多重入力（ＭＩ）及びアップリンク送信のための多重出力（ＭＯ）を表す。Ｋ個の選択される利用者端末１２０のセットは、ダウンリンク送信のための多重出力及びアップリンク送信のための多重入力を共同して示す。純粋なＳＤＭＡのため、Ｋ個の利用者端末のためのデータシンボルストリームがいくつかの手段によってコード、周波数、時間において多重化されない場合、Ｎａｐ≧Ｋ≧１であることが望まれる。データシンボルストリームがＴＤＭＡ技術、ＣＤＭＡを持つ異なるコードチャンネル、ＯＦＤＭを持つサブバンドの隣接したセットなどを使用して多重化されることができる場合、Ｋは、Ｎａｐよりも大きく成り得る。各選択される利用者端末は、アクセスポイントへ利用者特定のデータを送信し及び／又はアクセスポイントから利用者特定のデータを受信する。一般に、各選択される利用者端末は、１つ又は多数のアンテナ（即ち、Ｎｕｔ≧１）を備えられ得る。Ｋ個の選択される利用者端末は、同一又は異なる数のアンテナを持つことができる。
【００２８】
ＭＩＭＯシステム１００は、時分割複信（ＴＤＤ）システム又は周波数分割複信（ＦＤＤ）システムであり得る。ＴＤＤシステムのため、ダウンリンク及びアップリンクは、同一の周波数帯を共有する。ＦＤＤシステムのため、ダウンリンク及びアップリンクは、異なる周波数帯を使用する。ＭＩＭＯシステム１００はまた、送信のため単一キャリア又は多数キャリアを利用し得もする。各利用者端末は、単一のアンテナ（たとえば、コストダウンを維持するため）又は多数のアンテナ（たとえば、追加のコストがサポートされることができる場合）を備えられ得る。利用者端末１２０は、異なる時間スロットへ送信／受信を分割することによって同一の周波数チャンネルを共有し、ここで各時間スロットは異なる利用者端末１２０へ割り当てられる場合、システム１００はまた、ＴＤＭＡシステムであり得もする。
【００２９】
図２は、ＭＩＭＯシステム１００におけるアクセスポイント１１０及び２つの利用者端末１２０ｍ及び１２０ｘのブロック図を示す。アクセスポイント１１０は、Ｎｔ個のアンテナ２２４ａから２２４ｔを備えられる。利用者端末１２０ｍは、Ｎｕｔ，ｍ個のアンテナ２５２ｍａから２５２ｍｕを備えられ、利用者端末１２０ｘは、Ｎｕｔ，ｘ個のアンテナ２５２ｘａから２５２ｘｕを備えられる。アクセスポイント１１０は、ダウンリンクのための送信エンティティ及びダウンリンクのための受信エンティティである。本文中に利用されるように、「送信エンティティ」は、無線チャンネルを通じてデータを送信することができる独立に動作される装置又は機器であり、「受信エンティティ」は、無線チャンネルを通じてデータを受信することができる独立に動作される装置又は機器である。次の記述において、下付き文字「ｄｎ」は、ダウンリンクを示し、下付き文字「ｕｐ」は、アップリンクを示し、Ｎｕｐ個の利用者端末は、ダウンリンク上で同時の送信のために選択され、Ｎｕｐは、Ｎｄｎと等しいこともあり得またそうでないこともあり得、ＮｕｐとＮｄｎは、各スケジュール間隔のため定数であり得、又は変化することができる。ビームステアリング又はいくつかの他の空間処理技術は、アクセスポイント及び利用者端末で利用され得る。
【００３０】
アップリンク上で、アップリンク送信のために選択される各利用者端末１２０で、ＴＸデータプロセッサ２８８は、データソース２８６からトラフィックデータを、コントローラ２８０から制御データを受信する。ＴＸデータプロセッサ２８８は、利用者端末のために選択されるレートに関連するコーディング及び変調スキームに基づいて利用者端末のためのデータを処理し（たとえば、復号化し、インターリーブし、変調する）、データシンボルストリームを供給する。ＴＸ空間プロセッサ２９０は、データシンボルストリーム上で空間処理を実行し、Ｎｕｔ，ｍ個のアンテナのためＮｕｔ，ｍ個の送信シンボルを供給する。各送信ユニット（ＴＭＴＲ）２５４は、アップリンクを生成するためそれぞれの送信シンボルストリームを受信し処理（たとえば、アナログへ変換し、増幅し、フィルタ処理し、周波数を上方転換する）する。Ｎｕｔ，ｍ個の送信ユニット２５４は、Ｎｕｔ，ｍ個のアンテナ２５２からアクセスポイントへ、送信のためのＮｕｔ，ｍ個のアップリンク信号を供給する。
【００３１】
Ｎｕｐ個の利用者端末は、アップリンク上で同時の送信のために予定され得る。これらの利用者端末のそれぞれは、そのデータシンボルストリーム上で空間処理を実行し、アクセスポイントへアップリンク上の送信シンボルストリームのそのセットを送信する。
【００３２】
アクセスポイント１１０で、Ｎａｐ個のアンテナ２２４ａから２２４ａｐは、アップリンク上で送信する全てのＮｕｐ個の利用者端末からアップリンク信号を受信する。各アンテナ２２４は、それぞれの受信機ユニット（ＲＣＶＲ）２２２へ受信される信号を供給する。各受信機ユニット２２２は、送信器ユニット２５４によって実行されるものと補完的な処理を実行し、受信されるシンボルストリームを供給する。ＲＸ空間プロセッサ２４０は、Ｎａｐ個の受信機ユニット２２２から受信されるＮａｐ個のシンボルストリーム上で受信機空間処理を実行する。受信機空間処理は、チャンネル相関逆行列（channel correlation matrix inversion）（ＣＣＭＩ）、最小平均二乗誤差（ＭＭＳＥ）、ソフト干渉除去（soft interference cancellation）（ＳＩＣ）、又はいくつかの他の技術に従って実行される。各回復されるアップリンクデータシンボルストリームは、それぞれの利用者端末によって送信されるデータシンボルストリームの評価である。ＲＸデータプロセッサ２４２は、復号化されるデータを得るためそのストリームのために使用されるレートに従って各回復されるアップリンクデータシンボルストリームを処理（たとえば、復調し、デインターリーブし、復号化する）する。各利用者端末のため復号化されるデータは、媒体のためデータシンク２４４へ、及び／又はさらなる処理のためコントローラ２３０へ供給され得る。
【００３３】
ダウンリンク上で、アクセスポイント１１０で、ＴＸデータプロセッサ２１０は、ダウンリンク送信のために予定されるＮｄｎ個の利用者端末のためデータソース２０８からトラフィックデータ、コントローラ２３０から制御データ、及び、ことによるとスケジューラ２３４から他のデータを受信する。様々なタイプのデータは、異なる転送チャンネル上で送信され得る。ＴＸデータプロセッサ２１０は、その利用者端末のために選択されるレートに基づいて各利用者端末のためトラフィックデータを処理（たとえば、符号化し、インターリーブし、変調する）する。ＴＸデータプロセッサ２１０は、Ｎｄｎ個の利用者端末のためＮｄｎ個のダウンリンクデータシンボルストリームを供給する。ＴＸ空間プロセッサ２２０は、Ｎｄｎ個のダウンリンクデータシンボルストリーム上で空間処理（本開示において記述されるような、仮コーディング又はビームフォーミングのような）を実行し、Ｎａｐ個のアンテナのためＮａｐ個の送信シンボルストリームを供給する。各送信器ユニット２２２は、ダウンリンク信号を生成するためそれぞれの送信シンボルストリームを受信し処理する。Ｎａｐ個のアンテナ２２４から利用者端末への送信のためＮａｐ個のダウンリンク信号を供給するＮａｐ個の送信器ユニット２２２。
【００３４】
各利用者端末１２０Ｎｕｔ，ｍで、アンテナ」２５２は、アクセスポイント１１０からＮａｐ個のダウンリンク信号を受信する。各受信機ユニット２５４は、関連するアンテナ２５２から受信される信号を処理し、受信されるシンボルストリームを供給する。ＲＸ空間処理２６０は、Ｎｕｔ，ｍ個の受信機ユニット２５４からＮｕｔ，ｍ個の受信されるシンボルストリーム上で受信機空間処理を実行し、利用者端末のため回復されるダウンリンクデータシンボルストリームを供給する。受信機空間処理は、ＣＣＭＩ、ＭＭＳＥ又はいくつかの他の技術に従って実行される。ＲＸデータプロセッサ２７０は、利用者端末のため復号化されるデータを得るため回復されるダウンリンクデータシンボルストリームを処理（たとえば、復調し、デインターリーブし、復号化する。）する。
【００３５】
各利用者端末１２０で、チャンネル推定器２７８は、ダウンリンクチャンネル応答を推定し、ダウンリンクチャンネル推定値を供給し、ここでそれは、チャンネルゲイン推定値、ＳＮＲ推定値、ノイズバランスなどを含み得る。同様に、チャンネル推定器２２８は、アップリンクチャンネル応答を推定し、アップリンクチャンネル推定値を供給する。各利用者端末のためのコントローラ２８０は、その利用者端末のためのダウンリンクチャンネル応答行列Ｈｄｎ，ｍに基づいて利用者端末のため空間フィルタ行列を一般的に得る。コントローラ２３０は、効果的なアップリンクチャンネル応答行列Ｈｕｐ，ｅｆｆに基づいてアクセスポイントのため空間フィルタ行列を得る。各利用者端末のためのコントローラ２８０は、アクセスポイントへフィードバック情報（たとえば、ダウンリンク及び／又はアップリンク固有ベクトル、固有値、ＳＮＲ推定値など）を送信し得る。コントローラ２３０及び２８０はまた、それぞれアクセスポイント１１０及び利用者端末１２０で様々な処理ユニットの動作を制御しもする。
【００３６】
図３は、ＭＩＭＯシステム１００のような無線通信システム内で使用され得る無線機器３０２において利用され得る様々なコンポーネントを示す。無線機器３０２は、本文中に記述される様々な方法を実施するために構成され得る機器の例である。無線機器３０２は、アクセスポイント１１０又は利用者端末１２０であり得る。
【００３７】
無線機器３０２は、無線機器３０２の動作を制御するプロセッサ３０４を含み得る。プロセッサ３０４はまた、中央処理装置（ＣＰＵ）と呼ばれ得もする。リードオンリーメモリ（ＲＯＭ）及びランダムアクセスメモリ（ＲＡＭ）の両者を含み得るメモリ３０６は、プロセッサ３０４へ命令及びデータを供給する。メモリ３０６の一部はまた、不揮発性ランダムアクセスメモリ（ＮＶＲＡＭ）でもあり得る。プロセッサ３０４は、メモリ３０６内に格納されるプログラム命令に基づいてロジック及び計算動作を一般的に実行する。メモリ３０６における命令は、本文中に記述される方法を実施することが可能であり得る。
【００３８】
無線機器３０２はまた、無線機器３０２と遠隔地との間でデータの送信及び受信を可能にするため送信器３１０及び受信機３１２を含み得る外被３０８を含み得もする。送信器３１０及び受信機３１２は、トランシーバ３１４内へ合同され得る。単一又は多数の送信アンテナ３１６は、外被３０８に取り付けられ、トランシーバ３１４へ電気的に接続され得る。無線機器３０２はまた、図示されない多数の送信器、多数の受信機及び多数のトランシーバを含み得もする。
【００３９】
無線機器３０２はまた、トランシーバ３１４によって受信される信号のレベルを検知し及び量をはかろうとして使用され得る信号検知機３１８を含み得もする。信号検知機３１８は、合計エネルギー、シンボルあたりのサブキャリアあたりのエネルギー、パワー空間密度及び他の信号のような信号を検知し得る。無線機器３０２はまた、処理信号における使用のためデジタル信号プロセッサ（ＤＯＳ）３２０を含み得もする。
【００４０】
無線機器３０２の様々なコンポーネントは、バスシステム３２２によって一緒に接続され得、ここでそれはデータバスに加えてパワーバス、制御バス、及び状態バスを含み得る。
【００４１】
図１からのＭＩＭＯシステム１００のような次世代ＷＬＡＮにおいて、ダウンリンク（ＤＬ）多数利用者（ＭＵ）ＭＩＭＯ送信は、全体のネットワークスループットを上昇させる前途有望な技術を表し得る。ＤＬ  ＭＵ−ＭＩＭＯ送信の多くの態様において、アクセスポイントから多数の利用者局（ＳＴＡ）へ送信されるプリアンブルのビームフォームされない一部は、ＳＴＡへ空間ストリームの配置を示す空間ストリーム配置フィールドを運び得る。
【００４２】
ＳＴＡ側でこの配置情報を分析するため、各ＳＴＡは、ＭＵ送信を受信することを予定される多数のＳＴＡからＳＴＡのセットにおけるその順序又はＳＴＡ番号を知る必要があり得る。これは、形成グループを要し得、ここでそれは、プリアンブルにおけるグループ識別子（ＩＤ）フィールドがＳＴＡへ、与えられるＭＵ送信において送信されるＳＴＡのセット（及び、他の順序）を運び得る。送信オーバーヘッドを追加するプリアンブルビットによって、可能な限りグループＩＤ（「グループＩＤ」又は「グループ  ＩＤ」として書かれるもの）上で小さいビットを消費することが望まれ得るが、一方では、ＳＴＡが与えられる例でＭＵ−ＭＩＭＯ送信において一緒に予定されることができる適応性を犠牲にする。
【００４３】
グループ定義を持つプリアンブル構造
図４は、本開示のある態様に従ったプリアンブル４００の例示の構造を示す。たとえば、プリアンブル４００は、図１において示されるＭＩＭＯシステム１００においてアクセスポイント（ＡＰ）１１０から利用者端末１２０へ送信され得る。
【００４４】
プリアンブル４００は、全レガシー部分４０２（即ち、ビームフォームされない部分）及びプレコードされるＩＥＥＥ８０２．１１ａｃ  ＶＴＨ（ベリーハイスループット（Very High Throughput））部分４０４を備え得る。レガシー部分４０２は、レガシーショートトレイニングフィールド（Legacy Short Training Field）（Ｌ−ＳＴＦ）４０６、レガシーロングトレイニングフィールド（Legacy Long Training Field）４０８、レガシー信号（Legacy Signal）（Ｌ−ＳＩＧ）フィールド４１０、及びＶＴＨ信号Ａ（ＶＨ−ＳＩＧ−Ａ）フィールド４１２、４１４のための２つのＯＦＤＭシンボルを備え得る。ＶＨＴ−ＳＩＧ−Ａフィールド４１２、４１４（即ち、ＶＨＴ−ＳＩＧ−Ａ１及びＶＨＴ−ＳＩＧ−Ａ２）は、全方向的に送信され得、ＳＴＡの組み合わせ（セット）へ空間ストリームの数の配置を示し得る。
【００４５】
プレコード化されるＩＥＥＥ８０２．１１ａｃ  ＶＨＴ部分４０４は、ＶＨＴショートトレイニングフィールド（ＶＨＴ−ＳＴＦ）４１８、ＶＨＴロングトレイニングフィールド１（ＶＨＴ−ＬＴＦ１）４２０、ＶＨＴロングトレイニングフィールド（ＶＨＴ−ＬＴＦ）、ＶＨＴ信号Ｂ（ＶＨＴ−ＳＩＧ−Ｂ）フィールド４２４、及びデータ部分４２６を備え得る。ＶＨＴ−ＳＩＧ−Ｂフィールドは、１つのＯＦＤＭシンボルを備え得、送信されプレコード化され／ビームフォームされ得る。
【００４６】
強いＭＵ−ＭＩＭＯ受信は、全てのサポートされるＳＴＡへ全てのＶＨＴ−ＬＴＦ４２２を送信するＡＰを含み得る。ＶＨＴ−ＬＴＦ４２２は、各ＳＴＡに、全てのＡＰアンテナからＳＴＡのアンテナへのＭＩＭＯチャンネルを推定することを可能にし得る。ＳＴＡは、他のＳＴＡに対応するＭＵ−ＭＩＭＯストリームから効果的な干渉無効を実行するための推定されるチャンネルを利用し得る。強い干渉除去を実行するため、各ＳＴＡは、どの空間ストリームがそのＳＴＡに所属しているか、及びどの空間ストリームが他の利用者に所属しているかを知ることを期待され得る。
【００４７】
前述のように、グループＩＤフィールド４１６は、ＳＴＡの特定のセットがＭＵ−ＭＩＭＯ送信の空間ストリームを受信しているであろう全てのサポートされるＳＴＡへ運ぶためのある態様のためのプリアンブル４００において含まれ得る。他の態様のため、グループＩＤは、ＶＨＴ−ＳＩＧ−Ａフィールド４１２、４１４（たとえば、ＶＨＴ−ＳＩＧ−Ａにおけるビット４−９）内のように、プリアンブル４００において他のフィールドの一部として示され得る。ベースラインとして、ＳＴＡの唯一のセットに割り当てられ得るグループが形成される場合、プリアンブル４００内にある非常に多数のグループＩＤビットは、完全な予定適用性のために含まれ得る。他の言い方をすれば、グループＩＤのオーバーロードが、ＳＴＡの多数のセット（組み合わせ）が１つのグループＩＤに割り当てられ得ることが可能とされる場合、より大きな適用性は、一緒に予定されることができる多数のＳＴＡにおいて達成され得る。
【００４８】
ＷＬＡＮのための例示の効果的なグループＩＤ管理
上に記述されるように、グループは、ＳＴＡへ空間ストリーム位置を運ぶためＷＬＡＮのためのＤＬ  ＭＵ−ＭＩＭＯ送信において形成され得る。いくつかの又は全てのグループのためのオーバーロード−本文中に使用されるように、多数のＳＴＡの組み合わせに１つのグループＩＤを割り当てることを一般的に示す−は、ＡＰでの適用性に、より多くのＳＴＡの組み合わせのためのサポートとパワーセーブとの間でトレードオフすることを可能にする。理想的に、グループＩＤ管理スキームは、ただのノンオーバーロードグループを持つＡＰをサポートすることはもちろん、オーバーロード及びノンオーバーロードグループの両方をサポートすることに十分な適用性であるべきである。したがって、必要な物は、低いオーバーヘッドを持つオーバーロードのため上記の目的を達成するグループＩＤ管理スキームである。
【００４９】
図５は、ＤＬ  ＭＵ−ＭＩＭＯスキームにおける同時のダウンリンク送信のような、同時の送信を受信する装置の少なくともいくつかのグループのためオーバーロードを持つグループＩＤを効果的に管理するためＡＰで実行され得る例示の動作５００を示す。５０２で、動作５００は、多数のグループのそれぞれが装置のただ１つのセット又は１つ以上のセットに対応するか否かを示すメッセージを送信することによって開始し得、ここでそれは、装置の各セットは同時の送信を受信するために構成される。ある態様に関して、送信されるメッセージは、ブロードキャストメッセージであり得、またＢＳＳにおいて装置（たとえば、ＳＴＡ）へ送信される多数のメッセージの１つであり得る。５０４で、ＡＰは、装置の１つのための空間ストリーム位置を送信し得、ここで空間ストリーム位置の１つは、グループのそれぞれのためである。ある態様に関して、ＡＰは、多数の装置の１つのためのフレームを生成し送信し得、ここで、フレームはグループ識別子（たとえば、グループ識別を含むフィールド、又はグループＩＤ）及び多数のグループのそれぞれにおいて多数の装置の１つのための空間ストリーム位置を含み得る。５０６で、ＡＰは、装置の１つのための空間ストリーム位置に基づいてグループの１つのため同時の送信の少なくとも１つを送信し得る。ある態様に関して、ＡＰは、装置に関する間にグループの１つを示すグループ識別子を送信し、又は、グループの１つにおいてオーバーロードへの変化を示し得る。
【００５０】
ある態様に関して、５０２で送信されるメッセージは、ビーコンフレームを備え得、ここで、管理フレームのタイプはＩＥＥＥ８０２．１１ベース無線ローカルエリアネットワーク（ＷＬＡＮ）に従事する。一般的にネットワークについての全ての情報を含むビーコンフレームは、ＷＬＡＮの存在を知らせるためＡＰによって周期的にブロードキャストされ得る。ビーコンフレームは、ベーシックサービスセット（ＢＳＳ）のオーバーロード状態を伝えるビットマップを備え得、ここで、ＢＳＳは、すべての関連するＳＴＡと共にＡＰに関連する。言い換えれば、たとえば、ビットマップは、各グループのための１つのビットを用いて、どのグループがオーバーロードされるか及びオーバーロードされないかを伝え得る。ある態様に関して、ビットマップ値は、オーバーロードされるグループに関しては１とオーバーロードしていないグループに関しては０と等しく成り得、また他の態様に関しては逆である。ビットマップにおいて、決して使用されないグループのためのビットは、０にセットされ得る。
【００５１】
グループＩＤフィールドは、ｙ個のビットを備え得る。それゆえ、ビットマップは、グループ毎のため１つのビットを持つために２ｙ個のビットを含み得る。たとえば、グループＩＤフィールドは、６個のビットを持ち得、ビットマップは、６４ビットを備え得る。
【００５２】
ある態様に関して、５０４で生成され送信されるフレームは、図６において示されるようにユニキャストグループＩＤ割り当てフレーム６００を備え得る。ある態様に関して、ユニキャストグループＩＤ割り当てフレーム６００は、ＷＬＡＮに加わり又は再度加わるＳＴＡのような、ＳＴＡと関連する間に送信され得る。グループＩＤ割り当てフレーム６００は、プリアンブル４００、メディアアクセスコントロール（ＭＡＣ）ヘッダ６０２、フレームボディ６０４、及びフレームチェックシーケンス（ＦＣＳ）６０６を備え得る。フレームボディ６０４は、フレームボディ６０４は、ＶＨＴを示すカテゴリフィールド６０８及び、アクションフィールド６１０に続く情報が図６において描かれるようなグループＩＤ割り当てのためであることを示すアクションフィールド６１０を備え得る。
【００５３】
グループＩＤ割り当てフレーム６００のフレームボディ６０４はまた、２つのセクション、セクションＡ６１２及びセクションＢ６１４、を備え得もする。セクションＡは、オーバーロードされていないグループ（即ち、ＳＴＡのただ１つのセットに対応するグループ）においてＳＴＡ部分を示し得る。セッションＡは、ＳＴＡへのみ、だれがオーバーロードされていないグループであるかを送信され得る。セッションＡは、グループ情報６１６のｎ個までの異なるバンドルを備え得、ここで、グループ情報の１つのセットは、オーバーロードされていないグループのそれぞれのためである。グループ情報６１６は、ユニキャストグループＩＤ割り当てフレーム６００を受信するために指定されるＳＴＡのためのグループＩＤ値６１８及びＳＴＡ部分６２０を備え得る。ある態様に関して、グループＩＤ値６１８は、６個のビット（グループＩＤフィールド４１６と同一）を備え得、ＳＴＡ部分６２０は、各グループ内の４つの異なる位置を示し、グループ情報６１６の各バンドルのための８個のビット（即ち、１バイト）の合計を導く２個のビットを備え得る。
【００５４】
セクションＢは、ただオーバーロードされていないグループだけでなく、どのグループのためにもＳＴＡ位置を示し得る。したがって、グループＩＤフィールド４１６がｙ個のビットを備える場合、セクションＢは、２ｙ個のＳＴＡ位置６２２を含み得る。ＢＳＳにおけるグループがオーバーロードされる時はいつでも、セクションＢは、ユニキャストグループＩＤ割り当てフレーム６００において含まれ得る。フレーム６００の受信上で、ＳＴＡは、セッションＢにおける関連中に配置されるＳＴＡ位置を使用し得る。ある態様に関して、ＳＴＡ位置６２２は、各グループ内の４つの異なるＳＴＡを表現する２個のビットをそれぞれ含み得る。例として、６４個（＝２６）のグループがあるようなｙ＝６である場合、セクションＢは、１２８個のビット（１６バイト）をを備え得る。
【００５５】
ユニキャストグループＩＤ割り当てフレーム６００はまた、セッションＡにおいてオーバーロードされていないグループフィールドの数を示すフィールド６２４及びセッションＢにおいてオーバーロードされているグループフィールドの数を示すフィールド６２６を含み得もする。フィールド６２４及び６２６における値は、おそらく合計でＡＰによって使用されるグループの合計数となり得る。
【００５６】
ＢＳＳがオーバーロードされていないグループのみを持つ状況において、セクションＢ６１４は、ユニキャストグループＩＤ割り当てフレーム６００から不在であり得る。そのような状況において、ビーコンフレームにおけるオーバーロードビットマップは、すべてゼロを含み得る。
【００５７】
ＳＴＡとの関連中以外では、グループがオーバーロードされることからオーバーロードされないことへ変化する場合、上に記述されるユニキャストグループＩＤ割り当てフレーム６００はまた送信され得もする。この事例において、セクションＡ６１２は、グループＩＤ割り当てフレーム６００において含まれるセッションＢなしに、新しいオーバーロードされていないグループのメンバーであるＳＴＡへ送信され得る。なお、ＡＰは、ビーコンフレーム又は他の（ブロードキャスト）メッセージのオーバーロードビットマップにおいて新しいオーバーロードされていないそのグループためビットを消し（即ち、ビットの値を１から０へ変える）得る。
【００５８】
反対に、グループがオーバーロードされていないことからオーバーロードされていることへ変わる場合、ただのメッセージ（たとえば、ビーコンフレーム）は、変わることを示すことに十分であり得る。他の言い方をすれば、ユニキャストグループＩＤ割り当てフレーム６００は、この事例において送信される必要がない。ＡＰは、新しいオーバーロードされるグループに対応する（ブロードキャスト）メッセージにおけるビットを付け（即ち、ビットの値を０から１へ変える）、メッセージを送信し得る。
【００５９】
図７は、ＤＬ  ＭＵ−ＭＩＭＯスキームにおける同時のダウンリンク送信のような同時の送信を受信する装置のグループの少なくともいくつかのためのオーバーロードを持つグループＩＤを解釈するため利用者端末で実行され得る例示の動作を示す。７０２で、動作７００は、グループが装置のただ１つ又は２つ以上のセットに対応するか否かを示すメッセージを、装置（たとえば、ＳＴＡ）で、受信することによって開始され得、ここで、装置の各セットは、同時の送信を受信するように構成される。ある態様に関して、受信されるメッセージは、ブロードキャストメッセージであり得、装置へ送信される多数のメッセージの１つであり得る。７０４で、装置は、グループ識別子によって示されるグループにおける装置のためのグループ識別子及び空間ストリーム位置を受信し得る。ある態様に関して、装置は、装置のためのグループ及び空間ストリーム位置を示すグループ識別子（たとえば、グループＩＤフィールド）を備えるフレームを受信し得る。７０６で、装置は、受信される同時の送信を分析するため空間ストリーム位置を使用し得る。ある態様に関して、フレームは、多数のグループのそれぞれにおける装置のための多数の空間ストリーム位置を備え得、ここで、１つの空間ストリーム位置は、多数のグループのそれぞれにおける装置のためである。
【００６０】
この方法において、いくつかのグループのためのオーバーロードは、達成され得、より多くのＳＴＡの組み合わせをサポートすることとパワーセーブとの間のトレードオフのためＡＰで適用性を可能にし得る。本文中に開示されるように、グループＩＤ管理スキームは、オーバーロードされるグループ及びオーバーロードされていないグループの両者を持つＡＰ及びオーバーロードされていないグループのみを持つＡＰをサポートするのに十分な適用性であり得る。このスキームはまた、低いオーバーヘッドを持つオーバーロードのためこれらの利益を達成もする。
【００６１】
完全に及び部分的にオーバーロードされるグループを持つ例示のグループＩＤ管理
上に記述されるように、グループにおけるＳＴＡ位置は、ＭＵ−ＭＩＭＯ送信ごとに４人の利用者の限界のため１と４との間の数であり得る。ＳＴＡ位置は、Ｎｓｔｓフィールドを分析するために使用され得る。本部中に定義されるような、完全にオーバーロードされるグループは、ＢＳＳにおけるどのＳＴＡもグループのためのＳＴＡ位置を持つＳＴＡのグループと一般的に示す。完全にオーバーロードされるグループにおいて、ＳＴＡは、ＶＨＴ−ＳＩＧ−Ａフィールド４１２  ４１４を復号化する後にプリアンブル４００を復号化することを止めることができない。反対に、本文中に定義されるような、部分的にオーバーロードされるグループは、ＢＳＳにおける全てのＳＴＡ（即ち、ＳＴＡのサブセット）がグループのためＳＴＡ位置を割り当てられるＳＴＡのグループを示す。空間ストリーム位置を割り当てられないＳＴＡは、ＶＨＴ−ＳＩＧ−Ａフィールド４１２、４１４を復号化する後にプリアンブル４００を復号化することを止めることができる。この方法において部分的にオーバーロードされているグループを指定することは、パワーセーブを提供する。
【００６２】
図８は、装置のグループのためグループＩＤを効果的に管理するためＡＰで実行され得る例示の動作８００を示す。装置のグループは、ＤＬ  ＭＵ−ＭＩＭＯスキームにおける同時のダウンリンク送信のような、同時の送信を受信し得る。
【００６３】
８０２で、動作８００は、装置の１つ又は２つ以上のグループを定義することによって開始し得、ここで、装置のそれぞれは、少なくとも１つのグループに関連する。装置のグループは、ベーシックサービスセット（ＢＳＳ）においてあり得る。８０４で、ＡＰは、装置のそれぞれへ、関連するグループのそれぞれのための空間ストリーム位置を割り当て得る。
【００６４】
８０６で、ＡＰは、装置の１つへユニキャストメッセージを送信し得、ここで、ユニキャストメッセージは、関連するグループのそれぞれのため割り当てられる空間ストリーム位置の指示を備え得る。ある態様に関して、１つ又は２つ以上のグループは、ＢＳＳにおいて全ての装置を備える少なくとも１つの完全にオーバーロードされているグループを備え得る。ある態様に関して、１つ又は２つ以上のグループは、ＢＳＳにおける全ての装置より少ないものを備える１つ又は２つ以上の部分的にオーバーロードされているグループからさらに構成され得、ここで、装置の１つは、部分的にオーバーロードされているグループの少なくとも１つへ所属する。
【００６５】
ＡＰは、グループに関連する装置のそれぞれのため割り当てられる空間ストリーム位置に基づいて、装置のグループの１つのため同時に送信される空間ストリームを送信し得る。
【００６６】
図９は、本開示のある態様に従って、完全にオーバーロードされているグループ及び部分的にオーバーロードされているグループのためＡＰから送信される例示のユニキャストグループＩＤ割り当てフレーム９００を示す。割り当てフレーム９００は、図６に関連する上に記述される割り当てフレーム６００と同様であり得る。ユニキャストグループＩＤ割り当てフレーム９００のフレームボディ６０４は、２つのセクション、セクションＡ９０２及びセクションＢ９０４、を備え得る。
【００６７】
セクションＡ９０２は、部分的にオーバーロードされているグループ（即ち、ＢＳＳにおいて全てのＳＴＡのサブセットに対応するグループ）においてＳＴＡ位置を示し得る。セッションＡは、部分的にオーバーロードされているグループのメンバーであるＳＴＡへのみ送信され得る。セクションＡは、グループ情報９１０のｎ個までの異なるバンドルを備え得、ここで、グループ情報の１つのセットは、部分的にオーバーロードされているグループのそれぞれのためである。グループ情報９１０は、ユニキャストグループＩＤ割り当てフレーム９００を受信するため指定されるＳＴＡのためのグループＩＤ値９１２及びＳＴＡ位置９１４を備え得る。ある態様に関して、グループＩＤ値９１２は、６個のビット（グループＩＤフィールド４１６と同一のもの）を備え得、ＳＴＡ位置９１４は、各グループ内の４つの異なる位置を表し、グループ情報９１０の各バンドルのための８個のビット（即ち、１バイト）の合計を導く２個のビットを備え得る。
【００６８】
ある態様に関して、セクションＢ９０４は、ただ部分的にオーバーロードされているグループだけでなく、どのグループのためにもＳＴＡ位置９０６を示し得る。したがって、グループＩＤフィールド４１６がｙ個のビットを備える場合、セクションＢは、２ｙ個のＳＴＡ位置９０６を含み得る。他の態様に関して、セクションＢは、完全にオーバーロードされているグループのみのためＳＴＡ位置９０４を示し得る。フレーム９００の受信上で、ＳＴＡは、セクションＢ９０４における関連中に配置されるＳＴＡ位置を使用し得る。ある態様に関して、ＳＴＡ位置９０６は、各グループ内の４つの異なるＳＴＡ位置を表す２個のビットを備え得る。たとえば、６４（＝２６）個のグループがあるようなｙ＝６である場合、セクションＢ９０４は、１２８個のビット（１６バイト）を備え得る。
【００６９】
ユニキャストグループＩＤ割り当てフレーム９００はまた、セクションＡにおける部分的にオーバーロードされているグループフィールドの数（即ち、グループ情報９１０のバンドルの数）を示すフィールド９１６及びセクションＢにおけるオーバーロードされているグループの数を示すフィールド９０８を含み得もする。ある態様において、これらフィールド９０８、９１６における値は、合計でＡＰによって使用されるグループの合計数となり得る。
【００７０】
ＢＳＳが完全にオーバーロードされているグループのみを持つ状況において、セクションＡ９０２は、ユニキャストグループＩＤ割り当てフレーム９００から不在とであり得る。
【００７１】
ユニキャストグループＩＤ割り当てフレーム９００は、ＢＳＳにおけるＡＰを持つＳＴＡの関連中に送信され得る。関連中にフレーム９００を送信することによって、グループＩＤ割り当てフレーム９００は、完全にオーバーロードされているグループにおいて少なくともＳＴＡ位置９０６を伝達し得、またＳＴＡが任意の部分的にオーバーロードされているグループのメンバーである場合、ＳＴＡ位置９１４を伝達し得もする。グループが完全にオーバーロードされていることから部分的にオーバーロードされていることへ変化した場合、ユニキャストグループＩＤ割り当てフレーム９００はまた送信され得もする。このより遅い事例において、セクションＡ９０２は、新しい部分的にオーバーロードされているグループのメンバーであるＳＴＡへのみ送信され得る。
【００７２】
各ＭＵ−ＭＩＭＯ送信は、ＶＨＴ−ＳＩＧ−Ａフィールド４１２、４１４においてオーバーロード状態ビットを運び得る。このオーバーロード状態ビットは、グループＩＤが完全にオーバーロードされている送信において使用されている場合には１と、部分的にオーバーロードされている送信のためには０と等しく成り得る。ＡＰは、グループが部分的にオーバーロードされていることから完全にオーバーロードされていることへ動いていることを示すためオーバーロード状態ビットを使用し得る。他の言い方をすれば、ＡＰは、部分的にオーバーロードされているグループのためグループＩＤを使用する空間ストリームを同時に送信することの間にオーバーロード状態ビットを消し得る。この部分的にオーバーロードされているグループが完全にオーバーロードされているグループへ変わるときはいつでも、ＡＰは、そのグループＩＤを使用する空間ストリームを同時に送信することの間にオーバーロード状態ビットを付けることによってこれを示す。ＢＳＳにおいて残りのＳＴＡの全てがグループに所属するように、部分的にオーバーロードされているグループのメンバーでない１つ又は２つ以上のＳＴＡがＢＳＳを去る場合、部分的にオーバーロードされているグループから完全にオーバーロードされているグループへ変わることは、生じることができる。
【００７３】
いくつかのグループのためのオーバーロードは、上昇するＳＴＡの組み合わせのためのサポートとパワーセーブとの間のトレードオフのためＡＰで適用性を供給し得る。グループＩＤ管理は、完全にオーバーロードされているグループ並びに部分的にオーバーロードされているグループを持つＡＰ及びオーバーロードされていないグループのみを持つＡＰをサポートするのに十分な適用性であり得る。上に記述されるグループＩＤ管理の解決法は、低いメッセージングオーバーヘッドによってこれらの目的を達成する。
【００７４】
例示のグループＩＤ管理スキーム
上に記述されるように、グループＩＤフィールド４１６は多くの利用を持つ。本開示のある態様はまた、様々なグループＩＤ管理処理を供給しもする。ある態様に関して、近くの全てのＳＴＡの組み合わせ（たとえば、６ビットグループＩＤ）のためのサポートは、共同でワンタイムメッセージを通じて可能になり得、低いメッセージングオーバーヘッドを供給する。なお、任意のパワーセーブは、ＳＴＡの小さなサブセットへのユニキャスト（及びそれゆえ強い）メッセージングを通じてＳＴＡで可能となり得る。
【００７５】
初期状態の空間ストリーム位置の配置
図１０は、グループの一部のため初期状態の空間ストリーム位置を使用する装置のグループを効果的に管理するためＡＰで実行され得る例示の動作１０００を示す。装置のグループは、ＤＬ  ＭＵ−ＭＩＭＯスキームにおける同時のダウンリンク送信のような、同時に送信される空間ストリームを受信し得る。
【００７６】
１００２で、動作１０００は、装置のグループの数の一部を決定することによって開始し得る。装置のグループの数は、グループＩＤにおけるビットの数に基づいて決定され得る。たとえば、６ビットのグループＩＤは、装置の６４個のグループを持ち得る。グループの数の一部は、グループの数のサブセットであり得る。たとえば、一部は、６４個の利用可能なグループのからの３２個のグループを備え得る。
【００７７】
１００４で装置の第１の１つに関して、初期状態の空間ストリーム位置は、グループの一部において各グループのため配置され得る。装置（たとえば、利用者端末）の第１の１つの関連中に、この配置は生じ得る。
【００７８】
１００６で、第１ユニキャストメッセージは、装置の第１の１つへ送信され得、ここで、第１ユニキャストメッセージは、グループの一部において各グループのため配置される初期状態の空間ストリーム位置の指示を備える。このユニキャストメッセージは、装置の第１の１つの関連中に送信され得る。
【００７９】
共同で、どの利用者端末（又はＳＴＡ）も、グループの数のサブセット（たとえば、６４から３２個のグループ）のため初期状態の空間ストリーム位置を配置され得る。たとえば、図１１は、ＡＰから、３２個のグループのそれぞれにおいて利用者端末のため初期状態の空間ストリーム位置を持つ特定の利用者端末へ送信されるユニキャストメッセージの例示のコンテンツ１１００を示す。初期状態の空間ストリーム位置を割り当てられるだろうグループの数のサブセットは、ＡＰによって決定され得る。コンテンツ１１００は、グループ番号１１０２の行及びＳＴＡ空間ストリーム位置１１０４の列によって外典的に示される。行ｉ、列ｊでシンボルｘは、ＳＴＡがグループ番号ｉのため位置ｊを配置されることを意味する。上に記述されるように、２つのビットは、ユニキャストにおいてグループごとにＳＴＡ位置（１、２、３又は４）を示すために使用され得、たとえば、６個のビットは、グループ番号（即ち、グループＩＤ）を示すために使用され得る。
【００８０】
関連中に配置される初期状態の空間ストリーム位置は、さらなるメッセージングなしに多数のＳＴＡをサポートするための仮供給として考慮され得る。たとえば、３２個のグループのための初期状態の位置が各ＳＴＡのために配置される場合、１００個のＳＴＡを持つＢＳＳにおけるＳＴＡの組み合わせの９６％は、サポートされ得る。
【００８１】
関連中に初期状態の空間ストリーム位置を配置することはまた、現在のネットワークサイズのために設計されることのデメリットを避け得もし、そうすれば後に拡張する。他の言い方をすれば、この解決法は、新しいＳＴＡがＢＳＳへ入れられるたびに存在するメンバーに追加のメッセージを送信しなければならないことを避け、それによってグループＩＤ管理の効果を上昇させる。
【００８２】
たとえば、１０個のＳＴＡを持つＢＳＳを考え、全ての１０Ｃ４個（１０が４を選ぶ、又は、１０個のＳＴＡにおける４つの空間ストリーム位置のサイズを持つＳＴＡの組み合わせの数）のＳＴＡの組み合わせが現在のグループ割り当てによってサポートされると仮定する。１１個目のＳＴＡがＢＳＳに参加する場合、追加の１０Ｃ３＝１２０個のＳＴＡの組み合わせは、おそらくサポートされる必要があり得る。ネットワークサイズと共に拡張するスキームは、新しいＳＴＡはもちろん現存する１０個のメンバーのそれぞれへのメッセージをおそらく要求するだろう。各現存するＳＴＡは、９Ｃ２個の新しいＳＴＡの組み合わせのための情報を送信される必要がおそらくあるだろう。
【００８３】
しかしながら、仮に供給される初期状態の空間ストリーム位置を持つ本開示の態様は、ＳＴＡの組み合わせを更新するためにＢＳＳの現存するメンバーへあらゆるメッセージを送信する必要がない。むしろ、典型的には関連中に、単一のユニキャストメッセージのみが、この新しいＳＴＡがメンバーであるグループの１１番目のＳＴＡであることを伝えるため１１番目のＳＴＡへ送信され得る。
【００８４】
図１２は、装置のグループの一部のため初期状態の空間ストリーム位置を使用する受信される同時に送信される空間ストリームを分析するための例示の動作１２００を示す。たとえば、動作１２００は、利用者端末によって実行され得る。
【００８５】
１２０２で、動作１２００は、装置のグループの数の一部において各グループのため初期状態の空間ストリーム位置の指示を備えるユニキャストメッセージを受信することによって開始し得る。１２０４で、装置のグループの１つのため同時に送信される空間ストリームは、受信され得、ここでユニキャストメッセージ及び同時に送信される空間ストリームは、装置の１つで受信される。１２０６で、グループの１つのための初期状態の空間ストリーム位置は、受信される同時に送信される空間ストリームを分析するために使用され得る。
【００８６】
ＳＴＡのためのパワーセーブ
他の又は追加のグループＩＤ管理スキームとして、利用者端末のためのパワーセーブスキームがあり得る。パワーセーブのための機会は、利用者端末の小さなサブセットが大きなネットワークにおいてトラフィックの大部分を受信する場合のような、多くの状況の下で起こり得る。どの利用者も全ての送信を聞かなければならないので、上に記述される関連時間メッセージングは、パワーセーブを提供するために十分でないこともあり得る。
【００８７】
この問題を解決するため、図１３は、装置へ送信されるトラフィックの合計量に基づいて、受信する同時に送信される空間ストリームのグループを効率的に管理するための例示の動作１３００を示す。たとえば、動作１３００は、ＡＰで実行され得る。
【００８８】
ある態様に関して、１３０２で、動作１３００は、１つ又は２つ以上の第２装置よりも相当に多くのトラフィックを受信すること（即ち、送信されること）を期待される１つ又は２つ以上の第１装置を決定することによって開始され得る。たとえば、１つ又は２つ以上の第１装置は、トラフィックの大部分を送信され得る。この決定は、トラフィックのしきい量に基づいて行われ得、ここで、１つ又は２つ以上の第１装置は、しきい量よりも多く受信されることが予期される。
【００８９】
１３０４で、第１装置の１つ又は２つ以上のグループは、定義され得、こｋで、第１装置のそれぞれは、グループの少なくとも１つに関連する。これらのグループは、パワーセーブグループと考えられ得る。１３０６で、第１装置のそれぞれは、関連するグループのそれぞれのため空間ストリーム位置を割り当てられ得る。第１メッセージは、第１装置の１つへ１３０８で送信され得、ここで、第１メッセージは、第１装置の１つのため関連されるグループのそれぞれにおいて割り当てられる空間ストリーム位置の指示を備える。第１メッセージは、ユニキャストメッセージ又はマルチキャストメッセージを備え得る。ある態様に関し得、多数のユニキャストメッセージは、送信され得、ここで、１つのメッセージは第１装置のそれぞれへのものであって、一方で他の態様において、１つのマルチキャストメッセージは、第１装置のすべて又は少なくともいくつかへ送信され得る。
【００９０】
ユニキャストメッセージは、関連した利用者端末の特定の１つのためパワーセーブグループのそれぞれにおいて割り当てられる空間ストリーム位置を持つ関連した利用者端末のそれぞれへ送信され得る。たとえば、図１４は、３個のパワーセーブグループのそれぞれにおいて利用者端末のための空間ストリーム位置を持つ特定の利用者端末（又はＳＴＡ）へＡＰから送信されるユニキャストメッセージの例示のコンテンツ１４００を示す。コンテンツ１４００は、パワーセーブグループ番号１４０２の行及び空間ストリーム位置１１０４の列によって概念的に示される。行ｉ及び列ｊでシンボルｘは、ＳＴＡがパワーセーブグループ番号ｉのため位置ｊを配置されることを意味する。上に記述されるように、たとえば、２個のビットは、ユニキャストメッセージにおいてパワーセーブグループごとにＳＴＡ位置（１、２、３、又は４）を示すために使用され得、６個のビットは、パワーセーブグループ番号（即ち、パワーセーブグループＩＤ）を示すために使用され得る。
【００９１】
ある態様に関して、上に記述される初期状態の空間ストリーム位置のために使用されないグループＩＤを使用する関連した利用者端末（たとえば、トラフィックのほとんどを受信するそれら）のパワーセーブグループは、形成され得る。たとえば、６ビットグループＩＤによって、６４個の異なるグループがあり得る。第１の３２個のグループ（０から３１で変動するグループＩＤを持つ）が初期状態の空間ストリーム位置のために使用される場合、そのとき残りの３２個のグループ（３２から６４で変動するグループを持つ）の任意の１つ又は２つ以上は、任意のパワーセーブグループを定義するために使用され得る。図１４の例において、第１の３２個のグループは、初期状態の空間ストリーム位置のために使用され、それゆえ、グループＩＤ３５、５０及び６３は、パワーセーブグループのために使用され得る。
【００９２】
例示のパワーセーブ動作として、１００個のＳＴＡを持つＢＳＳを考え、ＳＴＡの５つがトラフィックの大部分を受信すると仮定する。この事例において、５Ｃ４個のパワーセーブグループは、５個のＳＴＡをサポートするために形成され得る。ユニキャストメッセージは、５個のＳＴＡのそれぞれへのみ送信され得、ここで、各ユニキャストメッセージは、メッセージを受信しようとする特定のＳＴＡに関連するパワーセーブグループを含む。メッセージは、パワーセーブグループのこれらのＳＴＡを伝える残りの９５個のＳＴＡへ送信されない。ある態様に関して、５個のＳＴＡがトラフィックの大部分を受信しているが、決して５個のＳＴＡは、１つ又は２つ以上のパワーセーブグループに関連し得ないこともある。
【００９３】
パワーセーブグループへの値のＭＵ−ＭＩＭＯ送信中に、特定のパワーセーブグループのメンバーであるＳＴＡのみが送信を聞く。特定のパワーセーブグループのメンバーでない５個のＳＴＡのものを行うように、残りの９５個のＳＴＡは、送信を無視する。
【００９４】
パワーセーブグループが作られると、このグループは、グループＩＤを空けておこうとして一掃され得る。パワーセーブグループを一掃するため、ＡＰは、関連した利用者端末（即ち、特定のパワーセーブグループに関連した利用者端末）へユニキャストメッセージを送信し得、それらにパワーセーブグループが解散されることを伝える。この一掃処理は、利用者のこのグループがもはら十分なトラフィック（たとえば、パワーセーブグループからの他の利用者端末より相当に大きくないトラフィック）を送信していないシナリオを取り扱い得る。パワーセーブグループが一掃されていると、グループＩＤは、新しい関連のため空けておかれ得る。
【００９５】
ユニキャストグループＩＤ割り当て
グループＩＤ割り当ては、その特定のグループが利用されることができる前におそらく承認されるべきである。現在、ブロードキャストメッセージのために利用可能な承認スキームはない。なお、完全なＳＴＡベース上で多数利用者（ＭＵ）グループメンバーシップを管理することは、一般的に、よりきれいな設計のようである。たとえば、ネットワークにおける大部分のイベントは、ＳＴＡにわたって独立に生じるだろう。
【００９６】
図１５は、グループのそれぞれのためのメンバーシップ状態及び空間ストリーム位置を、装置の少なくとも１つのために、使用する装置のグループを効果的に管理するためにＡＰで実行され得る例示の動作１５００を示す。装置のグループは、ＤＬ  ＭＵ−ＭＩＭＯスキームにおける同時のダウンリンク送信のような、同時に送信される空間ストリームを受信し得る。
【００９７】
１５０２で、動作１５００は、グループの数において少なくとも１つの第１グループのそれぞれのための第１空間ストリーム位置を、装置のグループの数において第１装置のために、配置することによって開始し得る。装置（たとえば、利用者端末）の第１のものの関連中に、この配置は、生じ得る。
【００９８】
１５０４で、第１ユニキャストメッセージは、第１装置へ送信され得、ここで、第１ユニキャストメッセージは、少なくとも１つの第１グループのそれぞれのため配置される空間ストリーム位置の指示及び、グループの数における各グループのため、第１装置の、グループにおける、メンバーシップ状態の指示を備える。このユニキャストメッセージは、装置の第１のものの関連中に送信され得る。
【００９９】
図１６は、ＡＰから特定の利用者端末へ送信される例示のユニキャストグループＩＤ割り当てフレーム１６００を示す。利用者端末との関連中に又は利用者端末のグループ割り当てが更新されるときはいつでも、このユニキャストメッセージは、送信され得る。フレームボディ６０４は、グループＩＤテーブル１６０１を備え得、ここで、グループＩＤテーブルは、グループＩＤ管理のための多数のグループＩＤフィールド１６０２を備える。各グループＩＤフィールド１６０２は、あるグループに関連し得、グループＩＤフィールド１６０２は、グループ番号（たとえば、グループＩＤ）にしたがってフレームボディ６０４において要求され得る。
【０１００】
各グループＩＤフィールド１６０２は、フィールド１６０２に関連するグループにおいて特定の利用者端末のためメンバーシップ状態１６０４を示し得る。メンバーシップ状態１６０４は、単一のビットを備え得る。ある態様に関して、与えられるグループＩＤフィールド１６０２におけるメンバーシップ状態１６０４のための「１」の値は、特定の利用者端末が与えられるグループＩＤフィールド１６０２に関連するグループのメンバーであることを示し得るが、「０」の値は、特定の利用者端末がグループのメンバーでないことを示し得る。各グループＩＤフィールド１６０２はまた、空間ストリーム位置（たとえば、ＳＴＡ位置１６０６）の指示を備え得もする。上に記述されるように、２つのビットは、ユニキャストグループＩＤ割り当てフレーム１６００においてグループＩＤフィールド１６０２ごとにＳＴＡ位置（００、０１、１０、又は１１）を示すために使用され得る。
【０１０１】
ある態様に関して、グループＩＤ割り当てフレーム１６００は、グループＩＤビットの数ｙを示すフィールド１６０８を備え得る。フィールド１６０８によって示されるグループＩＤビットの数は、グループＩＤテーブル１６０１においてフィールド１６０２の数を持つフレーム１６００を受信する特定の利用者端末を供給し得る。たとえば、ｙ個のグループＩＤビットがフィールド１６０８によって示される場合、そのときグループＩＤ割り当てフレーム１６００は、２ｙ個のグループＩＤフィールドを含み得る。
【０１０２】
したがって、グループＩＤ割り当てフレーム１６００がグループＩＤフィールド４１６にしたがって全ての利用可能なグループのためグループＩＤフィールド１６０２を含む必要がないように、このフィールド１６０８は、適用性を供給する。たとえば、ＡＰが６４個以下のグループと共に動作する場合、小さいネットワークのためのＡＰは、より短いユニキャストグループＩＤ割り当てメッセージを使用し得る。このシナリオは、ホーム環境において適切であり得、ここで、ただ数個だけのグループは十分であり得る。なお、フィールド１６０８を示すことによって要求される適用性は、グループＩＤのサイズ（即ち、６個以上のビット）におけるあらゆる将来の上昇を供給し得る。
【０１０３】
ある態様に関して、ユニキャストグループＩＤ割り当てフレーム１６００は、送信の後にコード化され得る。そのようなコード化は、予想外のグループＩＤ割り当てを防ぎ得る。
【０１０４】
図１７は、装置のグループのための空間ストリーム位置を使用する受信される同時に送信される空間ストリームを分析するための例示の動作１７００を示す。たとえば、動作１７００は、利用者端末によって実行され得る。
【０１０５】
１７０２で、動作１７００は、グループにおけるメンバーシップ状態の指示及び空間ストリーム位置の指示から、グループの数における各グループのため、構成されるユニキャストメッセージを受信することによって開始し得る。１７０４で、装置のグループの１つのための同時に送信される空間ストリームは、受信され得、ここで、ユニキャストメッセージ及び同時に送信される空間ストリームは、装置の１つで（たとえば、利用者端末で）受信される。１７０６で、装置の１つは、メンバーシップ状態の指示に基づいてグループの１つのメンバーとして決定され得る。１７０８で、グループの１つのための空間ストリーム位置の指示は、受信される同時に送信される空間ストリームを分析するために使用され得る。
【０１０６】
上に記述される方法の様々な動作は、対応する機能を実行することができるあらゆる適切な手段によって実行され得る。手段は、回路に限定されないが、特定用途向け集積回路又はプロセッサを含む、様々なハードウェア並びに／若しくは（複数の）ソフトウェアコンポーネント及び／又は（複数の）モジュールを含み得る。一般に、図において示される動作である、これらの動作は、同様のナンバリングを持つ対応するカウンタパート手段プラス機能コンポーネントを持ち得る。たとえば、図５において示される動作５００は、図５Ａにおいて示される手段５００Ａに対応する。
【０１０７】
たとえば、図２において示されるアクセスポイント１１０の送信器（たとえば、送信器ユニット２２２）及び／又はアンテナ２２４を備え得る。受信のための手段は、図２において示される利用者端末１２０の受信機（たとえば、受信機ユニット２５４）及び／又はアンテナ２５２を備え得る。処理するための手段、決定するための手段、又は使用するための手段は、プロセスシステムを備え得、ここでそれは、図２において示される利用者端末１２０のＲＸデータプロセッサ２７０、ＴＸデータプロセッサ２８８及び又はコントローラ２８０のような、１つ又は２つ以上のプロセッサを含み得る。
【０１０８】
本文中に使用されるように、「決定すること」という用語は、動作の広い多様性を含む。たとえば、「決定すること」は、計算すること（calculating）、計算すること（computing）、処理すること、引き出すこと、調査すること（investigating）、調べること（looking up）（たとえば、テーブル、データベース又は他のデータ構造で調べること）、確かめること及びその同類のものを含み得る。また、「決定すること」は、受信すること（たとえば、情報を受信すること）、アクセスすること（メモリにあるデータにアクセスすること）及びその同類のものを含み得る。また、「決定すること」は、解決すること、選択すること（selecting）、選択すること（choosing）、設立すること、及びその同類のものを含み得る。
【０１０９】
本文中に使用されるように、項目のリストの「少なくとも１つ」を示す成句は、単一のメンバーを含む、これらのアイテムのあらゆる組み合わせを示す。例として、「ａ、ｂ又はｃの少なくとも１つ」は、ａ、ｂ、ｃ、ａ−ｂ、ａ−ｃ、ｂ−ｃ及びａ−ｂ−ｃをカバーする意図である。
【０１１０】
本開示に関して記述される様々な例示の論理ブロック、モジュール回路は、本文中に記述される機能を実行するために設計される汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラマブル論理機器（ＰＬＤ）、ディスクリートゲート若しくはトランジスタ論理、ディスクリートハードウェアコンポーネント、又はそれらのあらゆる組み合わせによって実施され又は実行され得る。汎用プロセッサは、マイクロプロセッサであり得るが、代案として、プロセッサは、あらゆる市販されているプロセッサ、コントローラ、マイクロコントローラ又は状態機械であり得る。プロセッサはまた、コンピューティング機器の組み合わせ、たとえば、ＤＳＰ並びにマイクロプロセッサの組み合わせ、多数のマイクロプロセッサ、ＤＳＰコアに関連する１つ若しくは２つ以上のマイクロプロセッサ、又はあらゆる他のそのような構成、として実施され得もする。
【０１１１】
本開示に関連して記述される方法又はアルゴリズムのステップは、直接ハードウェアにおいて、プロセッサによって実行されるソフトウェアモジュールにおいて、又は、２つの組み合わせにおいて具体化され得る。ソフトウェアモジュールは、技術において知られる記録媒体のあらゆる形式において存在し得る。使用され得る記録媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどを含む。ソフトウェアモジュールは、単一の命令又は多数の命令を備え得、いくつかの異なるコードセグメント上で、異なるプログラムの中で及び多数の記録媒体の至る所で分配され得る。プロセッサが記録媒体から情報を読み記録媒体へ情報を書くことができるように、記録媒体は、プロセッサに接続され得る。代案として、記録媒体は、プロセッサに欠かせないものであり得る。
【０１１２】
本文中に記述される方法は、記述される方法を達成するための１つ又は２つ以上のステップ又は動作を備える。方法ステップ及び／又は動作は、請求項の範囲から離れることなく他のものと交換され得る。他の言い方をすれば、ステップ又は動作の特定の順序がはっきりと指定されていなければ、特定のステップ及び／又はステップの順序及び／又は使用は、請求項の範囲から離れることなく修正され得る。
【０１１３】
記述される機能は、ハードウェア、ソフトウェア、ファームウェア、又はそれらのあらゆる組み合わせにおいて実施され得る。ハードウェアにおいて実施される場合、例示のハードウェア構成は、無線ノードにおける処理システムをを備え得る。処理システムは、バスアーキテクチャによって実施され得る。バスは、処理システムの特定のアプリケーション及び全体の設計制約に基づいて、相互に関連するバス及びブリッジをいくつでも含み得る。バスは、プロセッサ、機械可読媒体及びバスインターフェイスを含む様々な回路と一緒にリンクし得る。バスインターフェイスは、バスを通じて処理システムへ、他のものの中から、ネットワークアダプタを接続するために使用され得る。ネットワークアダプタは、ＰＨＹレイヤの信号処理機能を実施するために使用され得る。利用者端末（図１参照）の事例において、利用者インターフェイス（たとえば、キーパッド、ディスプレイ、マウス、ジョイスティックなど）はまた、バスに接続され得もする。バスはまた、タイミングソース、周辺装置、電圧レギュレータ、パワー管理回路及びその同類のもののような様々な他の回路とリンクし得もし、ここで、それらは技術においてよく知られ、それゆえさらに記述されないだろう。
【０１１４】
プロセッサは、バス及び、機械可読媒体上に格納されるソフトウェアの実行を含む一般的な処理を管理する責任があり得る。プロセッサは、１つ又は２つ以上の汎用及び／又は特定用途向けプロセッサによって実施され得る。例は、ソフトウェアを実行することができるマイクロプロセッサ、マイクロコントローラ、ＤＳＰプロセッサ及び他の電気回路を含む。ソフトウェアは、ソフトウェア、ファームウェア、ミドルウェア、マイクロコード、ハードウェア記述言語であるあろうとそうでなかろうと、命令、データ、又はそれらのあらゆる組み合わせを意味すると広く解釈されるだろう。例として、機械可読媒体は、ＲＡＭ（ランダムアクセスメモリ）、フラッシュメモリ、ＲＯＭ（リードオンリーメモリ）、ＰＲＯＭ（プログラマブルリードオンリーメモリ）、ＥＰＲＯＭ（消去可能プログラマブルリードオンリーメモリ）、ＥＥＰＲＯＭ（電気的消去可能プログラマブルリードオンリーメモリ）、レジスタ、磁気ディスク、光学ディスク、ハードドライブ、若しくはあらゆる他の適切な記録媒体、又はそれらのあらゆる組み合わせを含み得る。機械可読媒体は、コンピュータプログラム製品において具体化され得る。コンピュータプログラム製品は、パッケージ材料を備え得る。
【０１１５】
ハードウェアの実施例において、機械可読媒体は、プロセッサから分離した処理システムの一部であり得る。しかしながら、当業者がたやすく理解するように、機械可読媒体又はそれのあらゆる一部は、処理システムの外部にあり得る。例にとしては、機械可能媒体は、送信ライン、データによって変調されるキャリア波、及び／又は無線ノードから分離したコンピュータ製品を含み得、ここで全てのそれらは、バスインターフェイスを通じてプロセッサによってアクセスされ得る。あるいは、又は追加として、ケースがキャッシュ及び／又は一般的なレジスタファイルと共にあり得るように、機械可読媒体又はそれのあらゆる一部は、プロセッサ内へ統合され得る。
【０１１６】
処理システムは、プロセッサの機能性を供給する１つ又は２つ以上のマイクロプロセッサ及び機械可読媒体の少なくとも一部を供給する外部メモリを持つ汎用処理システムとして構成され得、ここで全ては外部バスアーキテクチャを通じて他のサポート電気回路に一緒にリンクされる。あるいは、処理システムは、プロセッサを持つＡＳＩＣ（特定用途向け集積回路）、バスインターフェイス、アクセス端末のケースにおける利用者インターフェイス、サポート電気回路、及び単一のチップ内へ統合される機械可読媒体の少なくとも一部によって、又は、この開示全体を通じて記述される様々な機能性を実行することができる１つ又は２つ以上のＦＰＧＡ（フィールドプログラマブルゲートアレイ）、ＰＤＬ（プログラマブル論理機器）、コントローラ、状態機械、ゲートロジック、ディスクリートハードウェアコンポーネント、若しくは他の適切な電気回路、又は回路のあらゆる組み合わせによって、実施され得る。当業者は、特定のアプリケーション及び全体のシステムに課せられる全体の設計制約に基づいて、どのように最も良く処理システムのための記述される機能性を実施するかを認識するだろう。
【０１１７】
機械可読媒体は、多数のソフトウェアモジュールを備え得る。ソフトウェアモジュールは、プロセッサによって実行される場合、処理システムに様々な機能を実行させる命令を含む。ソフトウェアモジュールは、送信モジュール及び受信するモジュールを含み得る。各ソフトウェアモジュールは、単一の記録媒体において存在し得、又は、多数の記録媒体にわたり分配され得る。例としては、トリガーイベントが生じる場合、ソフトウェアモジュールは、ハードドライブからＲＡＭ内へロードされ得る。ソフトウェアモジュールの実行中に、プロセッサは、アクセススピードを上昇させるためキャッシュ内にある命令のいくつかをロードし得る。そのとき、１つ又は２つ以上のキャッシュラインは、プロセッサによるによって実行のための汎用レジスタファイル内へロードされ得る。以下のソフトウェアモジュールの機能性に言及する場合、そのような機能性はそのソフトウェアモジュールからの命令を実行する場合にプロセッサによって実施されることは、理解されるだろう。
【０１１８】
ソフトウェアにおいて実施される場合、機能は、コンピュータ可読媒体上の１つ若しくは２つ以上の命令又はコードとして格納され又は送信され得る。コンピュータ可読媒体は、ある場所から他の場所へコンピュータプログラムの移すことを容易にするあらゆる媒体を含むコンピュータ媒体及び通信媒体の両者を含む。記録媒体は、コンピュータによってアクセスされることができるあらゆる利用可能な媒体であり得る。限定ではなく、例としては、そのようなコンピュータ可読媒体は、ＲＡＭ、ＲＯＭ、ＥＥＰＲＯＭ、ＣＤ−ＲＯＭ若しくは他の光学ディスク、磁気ディスク媒体若しくは他の磁気記録機器、又は命令若しくはデータ構造の形式において所望のプログラムコードを運び若しくは格納するために利用されることができコンピュータによってアクセスされることができるあらゆる他の媒体を備えることができる。たとえば、ソフトウェアが、ウェブサイト、サーバー、又は、同軸ケーブル、光ファイバケーブル、ツイストペア、デジタル加入者ライン（ＤＳＬ）、若しくは赤外線（ＩＲ）、無線並びにマイクロ波のような無線技術を使用する他のリモートソースから送信される場合、そのとき、同軸ケーブル、ツイストペア、ＤＳＬ、又は、赤外線、無線及びマイクロ波のような無線技術は、媒体の定義に含まれ得る。本文中で使用されるような、一般的に磁気的にデータを再現するディスク（disk）、一方レーザーを使用して光学的にデータを再現するディスク（disc）は、コンパクトディスク（ＣＤ）、レーザーディスク（登録商標）、光ディスク、ディジタル・バーサタイル・ディスク（ＤＶＤ）、フロッピー（登録商標）ディスクおよびブルーレイディスクを含む。したがって、いくつかの態様において、コンピュータ可読媒体は、非一時的なコンピュータ可読媒体（たとえば、有形の媒体）を備え得る。加えて、他の態様に関して、コンピュータ可読媒体は、一時的なコンピュータ可読媒体（たとえば、信号）を備え得る。上のものの組み合わせはまた、コンピュータ可読媒体の範囲内に含まれるべきである。
【０１１９】
したがって、ある態様は、本文中に開示される動作を実行するためのコンピュータプログラム製品を備え得る。たとえば、そのようなコンピュータプログラム製品は、その上に格納される（及び／又は符号化される）命令を持つコンピュータ可読媒体を備え得、ここで命令は、本文中に記述される動作を実行するため１つ又は２つ以上のプロセッサによって実行可能である。ある態様に関して、コンピュータプログラム製品は、パッケージ材料を含み得る。
【０１２０】
さらに、本文中に記述される方法及び技術を実行するためのモジュール及び／又は他の適切な手段は、ダウンロードされ、及び／又はそうでなければ、適用可能であるとして利用者端末及び／又は基地局によって得られることができることは、認識されるべきである。たとえば、その様な機器は、本文中に記述される方法を実行するための手段の送信を容易にするためサーバに接続されることができる。あるいは、利用者端末及び／又は基地局は機器へ記録手段と接続すること又は供給することで様々な方法を得ることができるように、本文中に記述される様々な方法は、記録手段（たとえば、ＲＡＭ、ＲＯＭ、コンパクトディスク（ＣＤ）又はフロッピー（登録商標）ディスクのような物理記録媒体など）を通じて供給されることができる。さらに、機器へ本文中に記述される方法及び技術を供給するためのあらゆる他の適切な技術は、利用されることができる。
【０１２１】
請求項は、上に示される正確な構成及びコンポーネントに限定されないことは理解されるべきである。様々な修正、変更及びバリエーションは、請求項の範囲から離れることなく上に記述される方法及び装置の取決め、動作及び詳細において行われ得る。
以下に本件出願当初の特許請求の範囲に記載された発明を付記する。
［１］無線通信のための方法であって、
多数のグループが装置のただ１つ又は２つ以上のセットに対応するか否かを示すメッセージを送信することであって、ここで、装置の各セットは、同時の送信を受信するために構成される、送信することと、
前記装置の１つのセットのための空間ストリーム位置を送信することであって、ここで、前記空間ストリーム位置の１つは、前記グループのそれぞれに関連する、送信することと、
前記装置の前記１つのための前記空間ストリーム位置に基づいて前記グループの１つのため前記同時の送信の少なくとも１つを送信することと、
を備える方法。
［２］前記メッセージは、無線ローカルエリアネットワーク（ＷＬＡＮ）のためビーコンフレームを備える、
［１］に記載の方法。
［３］前記空間ストリーム位置を送信することは、前記グループの１つ及び前記空間ストリーム位置を示すグループ識別子を送信することを備え、ここで、前記グループ識別子は、ｙ個のビットを備え、前記メッセージは、前記多数のグループのそれぞれのための１つのビットと共に２ｙ個のビットを持つビットマップを備える、
［１］に記載の方法。
［４］前記ビットマップは、装置のより多くのセットに対応する前記多数のグループのそれぞれのため１の値を持ち、前記ビットマップは、装置のただ１つのセットに対応する前記多数のグループのそれぞれのため０の値を持つ、
［３］に記載の方法。
［５］前記ビットマップは、使用されない前記多数のグループのそれぞれのため０の値を持つ、
［４］に記載の方法。
［６］前記空間ストリーム位置を送信することは、前記グループの前記１つ及び前記空間ストリーム位置を示すグループ識別子を送信することを備え、前記メッセージは、前記グループ識別子によって示される前記グループの前記１つが装置のただ１つのセットに対応すること装置の２つ以上のセットに対応することへ変わっていることを示す、
［１］に記載の方法。
［７］前記空間ストリーム位置を送信することは、前記装置の前記１つのため前記グループの前記１つ及び前記空間ストリーム位置を示すグループ識別子を備えるフレームを送信することを備える、
［１］に記載の方法。
［８］前記フレームを送信することは、前記装置の前記１つと関連中に前記フレームを送信することを備える、
［７］に記載の方法。
［９］前記フレームを送信することは、装置の２つ以上のセットに対応することから装置のただ１つに対応することへ変わる前記グループ識別子によって示される前記グループの前記１つに対する応答として前記フレームを送信することを備える、
［７］に記載の方法。
［１０］前記フレームは、装置のただ１つのセットに対応し前記ただ１つのセットにおいて前記装置の前記１つを含む前記多数のグループのメンバーのための一部を備え、ここで、前記一部は前記メンバーのそれぞれのためのグループ情報を備え、ここで、前記グループ情報は、
前記メンバーの１つを示すグループ識別（ＩＤ）値と、
前記装置の前記１つのための空間ストリーム位置であって、ここで、前記空間ストリーム位置は前記グループＩＤ値に対応する、空間ストリームの位置と、
を備える、
［７］に記載の方法。
［１１］前記フレームは、前記フレームの前記一部において前記メンバーの数を示すフィールドを備える、
［１０］に記載の方法。
［１２］前記フレームは、装置の２つ以上のセットに対応する前記グループの数を示すフィールドを備える、
［１］に記載の方法。
［１３］無線通信のための装置であって、
多数のグループのそれぞれが装置のただ１つ又は２つ以上のセットに対応するか否かを示すメッセージを送信するためであって、ここで、装置の各セットは、同時の送信を受信するために構成される、送信するためと、
前記装置の１つのための空間ストリーム位置を送信するためであって、ここで、前記空間ストリーム位置の１つは、前記グループのそれぞれに関連する、送信するためと、
前記装置の前記１つのための前記空間ストリーム位置に基づいて前記グループの１つのため前記同時の送信の少なくとも１つを送信するために、
構成される送信器
を備える装置。
［１４］前記メッセージは、無線ローカルエリアネットワーク（ＷＬＡＮ）のためビーコンフレームを備える、
［１３］に記載の装置。
［１５］前記送信器は、前記グループの前記１つ及び前記空間ストリーム位置を示すグループ識別子を送信するために構成され、ここで、前記グループ識別子は、ｙ個のビットを備え、前記メッセージは、前記多数のグループのそれぞれのための１つのビットと共に２ｙ個のビットを持つビットマップを備える、
［１３］に記載の装置。
［１６］前記ビットマップは、装置の２つ以上のセットに対応する前記多数のグループのそれぞれのため１の値を持ち、前記ビットマップは、装置のただ１つのセットに対応する前記多数のグループのそれぞれのため０の値を持つ、
［１５］に記載の装置。
［１７］前記ビットマップは、使用されない前記多数のグループのそれぞれのため０の値を持つ、
［１６］に記載の装置。
［１８］前記送信器は、前記グループの前記１つ及び前記空間ストリーム位置を示すグループ識別子を送信するために構成され、前記メッセージは、前記グループ識別子によって示される前記グループの前記１つが装置のただ１つにセットに対応することから装置の２つ以上のセットに対応することへ変わっていることを示す、
［１３］に記載の装置。
［１９］前記送信器は、
前記グループの前記１つを示すグループ識別子と、
前記装置の前記１つのための前記空間ストリーム位置と、
を備えるフレームを送信するために構成される、
［１３］に記載の装置。
［２０］前記送信器は、前記装置の前記１つに関連中に前記フレームを送信するように構成される、
［１９］に記載の装置。
［２１］前記送信器は、装置の２つ以上のセットに対応することから装置のただ１つのセットに対応することへ変わる前記グループ識別子によって示される前記グループの前記１つに応答して前記フレームを送信するように構成される、
［１９］に記載の装置。
［２２］前記フレームは、装置のただ１つのセットに対応し前記ただ１つのセットにおいて前記装置のただ１つを示す前記多数のグループのメンバーのための一部を備え、ここで、前記一部は前記メンバーのそれぞれのためのグループ情報を備え、前記グループ情報は、
グループ識別（ＩＤ）値と、
前記装置の前記１つのための空間ストリーム位置であって、ここで、前記ストリーム位置は前記グループＩＤ値に対応する、空間ストリーム位置と、
を備える、
［１９］に記載の装置。
［２３］前記フレームは、前記フレームの前記一部において前記メンバーの数を示すフィールドを備える、
［２２］に記載の装置。
［２４］前記フレームは、装置の２つ以上のセットに対応する前記グループの数を示すフィールドを備える、
［１３］に記載の装置。
［２５］無線通信のための装置であって、
多数のグループのそれぞれが装置のただ１つのセット又は２つ以上のセットに対応するか否かを示すメッセージを送信するための手段であって、ここで、装置の各セットは、同時の送信を受信するために構成される、手段と、
前記装置の１つのための空間ストリーム位置を送信するための手段であって、ここで、前記空間ストリーム位置の１つは、前記グループのそれぞれに関連する、手段と、
前記装置の前記１つのための前記空間ストリーム位置に基づいて前記グループの１つのため前記同時の送信の少なくとも１つを送信するための手段と、
を備える装置。
［２６］前記メッセージは、無線ローカルエリアネットワーク（ＷＬＡＮ）のためビーコンフレームを備える、
［２５］に記載の装置。
［２７］前記空間ストリーム位置を送信するための前記手段は、前記グループの前記１つ及び前記空間ストリーム位置を示すグループ識別子を送信するために構成され、ここで、前記グループ識別子は、ｙ個のビットを備え、前記メッセージは、前記多数のグループのそれぞれのための１つのビットと共に２ｙ個のビットを持つビットマップを備える、
［２５］に記載の装置。
［２８］前記ビットマップは、装置の２つ以上のセットに対応する前記多数のグループのため１の値を持ち、前記ビットマップは、装置のただ１つのセットに対応する前記多数のグループのそれぞれのため０の値を持つ、
［２７］に記載の装置。
［２９］前記ビットマップは、使用されない前記複数のグループのそれぞれのため０の値を持つ、
［２８］に記載の装置。
［３０］前記空間ストリーム位置を送信するための前記手段は、前記グループの１つ及び前記空間ストリーム位置を示すグループ識別子を送信するために構成され、前記メッセージは、前記グループ識別子によって示される前記グループの前記１つが装置のただ１つのセットに対応することから装置の２つ以上のセットに対応することへ変わっていることを示す、
［２５］に記載の装置。
［３１］前記空間ストリーム位置を送信するための前記手段は、前記装置の前記１つのための前記グループの前記１つ及び前記空間ストリーム位置を示すグループ識別子を備えるフレームを送信するために構成される、
［２５］に記載の装置。
［３２］前記フレームを送信するための前記手段は、前記装置の前記１つに関連中に前記フレームを送信するように構成される、
［３１］に記載の装置。
［３３］前記フレームを送信するための前記手段は、装置の２つ以上のセットに対応することから装置のただ１つに対応することへ変わる前記グループ識別子によって示される前記グループの前記１つに応答して前記フレームを送信するために構成される、
［３１］に記載の装置。
［３４］前記フレームは、装置のただ１つのセットに対応し前記ただ１つのセットにおいて前記装置の前記１つを含む前記多数のグループのメンバーのための一部を備え、前記一部は前記メンバーのそれぞれのためのグループ情報を備え、前記グループ情報は、
前記メンバーの１つを示すグループ識別（ＩＤ）値と、
前記装置の前記１つのための空間ストリーム位置であって、ここで前記空間ストリーム位置は、前記グループＩＤ値に対応する、空間ストリーム位置と、を備える、
［３１］に記載の装置。
［３５］前記フレームは、前記フレームの前記一部において前記メンバーの数を示すフィールドを備える、
［３４］に記載の装置。
［３６］前記フレームは、装置の２つ以上のセットに対応する前記グループの数を示すフィールドを備える、
［２５］に記載の装置。
［３７］無線通信のためのコンピュータプログラム製品において、
多数のグループのそれぞれが装置のただ１つ又は２つ以上のセットに対応するか否かを示すメッセージを送信するためであって、ここで、装置の各セットは、同時の送信を受信するために構成される、送信するためと、
前記装置の１つのための空間ストリーム位置を送信するためであって、ここで、前記空間ストリーム位置の１つは、前記グループのそれぞれに関連する、送信するためと、
前記装置の前記１つのための前記空間ストリーム位置に基づいて前記クループの１つのため前記同時の送信の少なくとも１つを送信するために、
実行可能な命令を備えるコンピュータ可読媒体を備える、
コンピュータプログラム製品。
［３８］少なくとも１つのアンテナと、
多数のグループが装置のただ１つ又は２つ以上のセットに対応するか否かを示すメッセージを、前記少なくとも１つのアンテナを通じて、送信するためであって、ここで、装置の各セットは、同時の送信を受信するために構成される、送信するためと、
前記装置の１つのための空間ストリーム位置を、前記少なくとも１つのアンテナを通じて、送信するためであって、ここで、前記空間ストリーム位置の１つは、前記グループのそれぞれに関連する、送信するためと、
前記装置の前記１つのための前記空間ストリーム位置に基づいて前記グループの１つのため前記同時の送信の少なくとも１つを、前記少なくとも１つのアンテナを通じて、送信するために、
構成される送信器と、
を備えるアクセスポイント。
［３９］無線通信のための方法であって、
グループが装置のただ１つ又は２つ以上のセットに対応するか否かを示すメッセージを、装置で、受信することであって、ここで、装置の各セットは、同時の送信を受信するために構成される、受信することと、
グループ識別子と、前記グループ識別子によって示される前記グループにおける前記装置のための空間ストリーム位置を受信することと、
前記受信される同時の送信を分析するために前記空間ストリーム位置を賜与することと、
を備える方法。
［４０］前記メッセージは、無線ローカルエリアネットワーク（ＷＬＡＮ）のためビーコンフレームを備える、
［３９］に記載の方法。
［４１］前記グループ識別子は、ｙ個のビットを備え、前記メッセージは、装置のただ１つ又は２つ以上のセットに対応する複数のグループのそれぞれのための１つのビットと共に２ｙ個のビットを持つビットマップを備える、
［３９］に記載の方法。
［４２］前記ビットマップは、装置の２つ以上のセットに対応する前記複数のグループのそれぞれのため１の値を持ち、前記ビットマップは、装置のただ１つのセットに対応する前記複数のグループのそれぞれのため０の値を持つ、
［４１］に記載の方法。
［４３］前記ビットマップは、使用されない前記複数のグループのそれぞれのため０の値を持つ、
［４２］に記載の方法。
［４４］前記メッセージは、前記グループ識別子によって示される前記グループが装置のただ１つのセットに対応することから装置の２つ以上のセットに対応することへ変わっていることを示す、
［３９］に記載の方法。
［４５］前記グループ識別子及び前記空間ストリーム位置を受信することは、前記グループ識別子及び前記装置のための空間ストリーム位置を備えるフレームを受信することを備え、ここで、複数のグループのそれぞれにおける１つの空間ストリーム位置は、前記グループ識別子によって示される前記グループを含む、
［３９］に記載の方法。
［４６］前記フレームを受信することは、前記装置に関連中に前記装置を受信することを備える、
［４５］に記載の方法。
［４７］前記フレームを受信することは、装置の２つ以上のセットに対応することから装置のただ１つのセットに対応することへ変わる前記グループ識別子によって示される前記グループへの応答として前記フレームを受信することを備える、
［４５］に記載の方法。
［４８］前記フレームは、装置のただ１つのセットに対応し前記ただ１つのセットにおいて前記装置を含む前記複数のグループのメンバーのための部分を備え、ここで、前記部分は、前記メンバーのそれぞれのためのグループ情報を備え、前記グループ情報は、
グループ識別（ＩＤ）値と、
前記装置のための空間ストリーム位置であって、ここで、前記空間ストリーム位置は、前記グループＩＤ値に対応する、空間ストリーム位置と、
を備える、
［４５］に記載の方法。
［４９］前記フレームは、前記フレームの部分において前記メンバーの数を示すフィールドを備える、
［４８］に記載の方法。
［５０］前記フレームは、装置の２つ以上のセットに対応する前記グループの数を示すフィールドを備える、
［３９］に記載の方法。
［５１］無線通信のための装置であって、
グループが装置のただ１つ又は２つ以上のセットに対応するか否かを示すメッセージを受信するためであって、ここで、装置の各セットは、同時の送信を受信するために構成される、受信するためと、
グループ識別子及び前記グループ識別子によって示される前記グループにおける前記装置のための空間ストリーム位置を受信するために、
構成される受信機と、
前記受信される同時の送信を分析するため前記空間ストリーム位置を使用するために構成される処理システムと
を備える装置。
［５２］前記メッセージは、無線ローカルエリアネットワーク（ＷＬＡＮ）のためビーコンフレームを備える、
［５１］に記載の装置。
［５３］前記グループ識別子は、ｙ個のビットを備え、前記メッセージは、装置のただ１つ又は２つ以上のセットに対応する複数のグループのそれぞれのための１つのビットと共に２ｙ個のビットを持つビットマップを備える、
［５１］に記載の装置。
［５４］前記ビットマップは、装置の２つ以上のセットに対応する前記複数のグループのそれぞれのため１の値を持ち、前記ビットマップは、装置のただ１つのセットに対応する前記複数のグループのそれぞれのため０の値を持つ、
［５３］に記載の装置。
［５５］前記ビットマップは、使用されない前記複数のグループのそれぞれのため０の値を持つ、
［５４］に記載の装置。
［５６］前記メッセージは、前記グループ識別子によって示される前記グループが装置のただ１つのセットに対応することから装置の２つ以上のセットに対応することへ変わっていることを示す、
［５１］に記載の装置。
［５７］前記受信機は、前記グループ識別子及び装置のための空間ストリーム位置を備えるフレームを受信するために構成され、ここで、複数のグループのそれぞれにおける１つの空間ストリーム位置は、前記グループ識別子によって示される前記グループを含む、
［５１］に記載の装置。
［５８］前記受信機は、前記装置に関連中に前記フレームを受信するために構成される、
［５７］に記載の装置。
［５９］前記受信機は、装置の２つ以上のセットに対応することから装置のただ１つのセットに対応することへ変わる前記グループ識別子によって示される前記グループへの応答として前記フレームを受信するために構成される、
［５７］に記載の装置。
［６０］前記フレームは、装置のただ１つのセットに対応し前記ただ１つのセットにおいて前記装置を含む前記複数のグループのメンバーのための部分を備え、ここで、前記部分は、前記メンバーのそれぞれのためのグループ情報を備え、前記グループ情報は、
グループ識別（ＩＤ）値と、
前記装置のための空間ストリーム位置であって、ここで、前記空間ストリーム位置は、前記グループＩＤ値に対応する、空間ストリーム位置と、
を備える、
［５７］に記載の装置。
［６１］前記フレームは、前記フレームの部分において前記メンバーの数を示すフィールドを備える、
［６０］に記載の方法。
［６２］前記フレームは、装置の２つ以上のセットに対応する前記グループの数を示すフィールドを備える、
［５１］に記載の装置。
［６３］無線通信のための装置であって、
グループが装置のただ１つ又は２つ以上のセットに対応するか否かを示すメッセージを受信するための手段であって、ここで、装置の各セットは、同委の送信を受信するために構成され、受信するための前記セットは、グループ識別子及び前記グループ識別子によって示される前記グループにおける前記装置のための空間ストリーム位置を受信するために構成される、手段と、
前記受信される同時の送信を分析するため前記空間ストリーム位置を使用するための手段と、
を備える装置。
［６４］前記メッセージは、無線ローカルエリアネットワーク（ＷＬＡＮ）のためビーコンフレームを備える、
［６３］に記載の装置。
［６５］前記グループ識別子は、ｙ個のビットを備え、前記メッセージは、装置のただ１つ又は２つ以上のセットに対応する複数のグループのそれぞれのための１つのビットと共に２ｙ個のビットを持つビットマップを備える、
［５１］に記載の装置。
［６６］前記ビットマップは、装置の２つ以上のセットに対応する前記複数のグループのそれぞれのため１の値を持ち、前記ビットマップは、装置のただ１つのセットに対応する前記複数のグループのそれぞれのため０の値を持つ、
［６５］に記載の装置。
［６７］前記ビットマップは、使用されない前記複数のグループのそれぞれのため０の値を持つ、
［６６］に記載の装置。
［６８］前記メッセージは、前記グループ識別子によって示される前記グループが装置のただ１つのセットに対応することから装置の２つ以上のセットに対応することへ変わっていることを示す、
［６３］に記載の装置。
［６９］前記受信機は、前記グループ識別子及び前記空間ストリーム位置を受信するための手段は、前記グループ識別子及び前記装置のための空間ストリーム位置を備えるフレームを受信するために構成され、ここで、複数のグループのそれぞれにおける１つの空間ストリーム位置は、前記グループ識別子によって示される前記グループを含む、
［６３］に記載の装置。
［７０］受信するための前記手段は、前記装置に関連中に前記フレームを受信するために構成される、
［６９］に記載の装置。
［７１］受信するための前記装置は、装置の２つ以上のセットに対応することから装置のただ１つのセットに対応することへ変わる前記グループ識別子によって示される前記グループへの応答として前記フレームを受信するために構成される、
［６９］に記載の装置。
［７２］前記フレームは、装置のただ１つのセットに対応し前記ただ１つのセットにおいて前記装置を含む前記複数のグループのメンバーのための部分を備え、ここで、前記部分は、前記メンバーのそれぞれのためのグループ情報を備え、前記グループ情報は、
グループ識別（ＩＤ）値と、
前記装置のための空間ストリーム位置であって、ここで、前記空間ストリーム位置は、前記グループＩＤ値に対応する、空間ストリーム位置と、
を備える、
［６９］に記載の装置。
［７３］前記フレームは、前記フレームの部分において前記メンバーの数を示すフィールドを備える、
［７２］に記載の装置。
［７４］前記フレームは、装置の２つ以上のセットに対応する前記グループの数を示すフィールドを備える、
［６３］に記載の装置。
［７５］無線通信のためのコンピュータプログラム製品であって、
グループが装置のただ１つのセット又は２つ以上のセットに対応するか否かを示すメッセージを、装置で、受信するためであって、ここで、装置の各セットは、同時の送信を受信するために構成される、受信するためと、
グループ識別子及び前記グループ識別子によって示される前記グループにおける前記装置のための空間ストリーム位置を、前記装置で、受信するためと、
前記受信される同時の送信を分析するため前記空間ストリーム位置を使用するために、
実行可能な命令を備えるコンピュータ可読媒体を
備えるコンピュータプログラム製品。
［７６］少なくとも１つのアンテナと、
グループが無線ノードのただ１つのセット又は２つ以上のセットに対応するか否かを示すメッセージを、前記少なくとも１つのアンテナを通じて無線ノードで、受信するためであって、ここで、無線ノードの各セットは、同時の送信を受信するために構成される、受信するためと、
グループ識別子及び前記グループ識別子によって示される前記グループにおける前記無線ノードのための空間ストリーム位置を受信するために、
構成される受信機と、
前記受信される同時の送信を分析するため前記空間ストリーム位置を使用するために構成される処理システムと、
を無線ノード。
【図１】
0005619991.tif 000002
【図２】
0005619991.tif 000003
【図３】
0005619991.tif 000004
【図４】
0005619991.tif 000005
【図５】
0005619991.tif 000006
【図５Ａ】
0005619991.tif 000007
【図６】
0005619991.tif 000008
【図７】
0005619991.tif 000009
【図７Ａ】
0005619991.tif 000010
【図８】
0005619991.tif 000011
【図８Ａ】
0005619991.tif 000012
【図９】
0005619991.tif 000013
【図１０】
0005619991.tif 000014
【図１０Ａ】
0005619991.tif 000015
【図１１】
0005619991.tif 000016
【図１２】
0005619991.tif 000017
【図１２Ａ】
0005619991.tif 000018
【図１３】
0005619991.tif 000019
【図１３Ａ】
0005619991.tif 000020
【図１４】
0005619991.tif 000021
【図１５】
0005619991.tif 000022
【図１５Ａ】
0005619991.tif 000023
【図１６】
0005619991.tif 000024
【図１７】
0005619991.tif 000025
【図１７Ａ】
0005619991.tif 000026